(57)【要約】      （修正有）【課題】誤作動がなく利便性の高いカメラを提供する。【解決手段】カメラ１０において、端子部２５（接続部）には、アクセサリーに接続される複数の端子（Ｔｐ１からＴｐ１２までの各端子）が設けられており、複数の端子には、端子Ｔｐ１０（第１端子）が含まれている。カメラ制御部１７０は、端子Ｔｐ１０（第１端子）の信号状態に応じて、アクセサリーの種類を識別する。これにより、カメラ１０は、アクセサリーの種類を識別することができるようになり、アクセサリーの種類に応じた制御を行えることから、誤作動がなく利便性の高いカメラを提供できる。【選択図】図７
2014002183.tif 000002
【特許請求の範囲】
【請求項１】
アクセサリーが接続されるカメラであって、
アクセサリーに接続される複数の端子が設けられており、前記複数の端子には第１端子が含まれている接続部と、
前記第１端子の信号状態に応じて、前記アクセサリーの種類を識別するカメラ制御部
を備えることを特徴とするカメラ。  
【請求項２】
前記カメラ制御部は、
前記第１端子の信号状態に応じて、前記アクセサリーに給電するか否かを制御する
ことを特徴とする請求項１に記載のカメラ。
【請求項３】
前記接続部の前記複数の端子には、
前記第１端子と第２端子とが含まれており、
前記カメラ制御部は、
前記第１端子の信号状態に応じて、前記第２端子に割り付ける信号を設定する
ことを特徴とする請求項１又は請求項２に記載のカメラ。
【請求項４】
前記接続部の前記複数の端子には、
前記第２端子が複数あり、
前記カメラ制御部は、
前記第２端子にそれぞれ割り付ける信号を、予め定められている複数の信号のうちから、前記第１端子の信号状態に応じてそれぞれ選択する
ことを特徴とする請求項３に記載のカメラ。
【請求項５】
前記接続部の前記複数の端子には、
前記アクセサリーが接続された状態を検出する信号が供給される第３端子と前記第１端子とが含まれており、
前記カメラ制御部は、
前記アクセサリーの種類に応じた処理を、前記第１端子の信号状態及び前記第３端子の信号状態に基づいて選択する
ことを特徴とする請求項１から請求項４の何れか１項に記載のカメラ。
【請求項６】
前記カメラ制御部は、
前記接続部に接続されたアクセサリーの種別を、前記アクセサリーに給電するか否かを判定する前に、前記第１端子の電圧に応じて識別する
ことを特徴とする請求項１から請求項５の何れか１項に記載のカメラ。
【請求項７】
アクセサリーが接続されるカメラであって、
アクセサリーに接続される複数の端子が設けられており、前記複数の端子には第１端子が含まれている接続部と、
前記第１端子に提供される信号に応じて、前記アクセサリーの種類を識別するカメラ制御部
を備えることを特徴とするカメラ。
【請求項８】
請求項１に記載のカメラに接続されるアクセサリーであって、
前記カメラの前記第１端子に接続する第１接続端子が設けられている第１接続部と、
アクセサリーの種別を示す信号を前記第１接続端子に供給する第１設定部と
を備えることを特徴とするアクセサリー。
【請求項９】
他のアクセサリーに接続される端子が設けられた第２接続部
を備えることを特徴とする請求項８に記載のアクセサリー。
【請求項１０】
前記他のアクセサリーが前記第２接続部に接続された状態を検出する接続状態検出部と、
前記接続状態検出部によって検出された結果に応じて、前記第１接続部に設けられた第３接続端子に供給する信号を設定する第２設定部と
を備える
ことを特徴とする請求項９に記載のアクセサリー。
【請求項１１】
前記カメラに前記他のアクセサリーを接続するアダプターである
ことを特徴とする請求項９に記載のアクセサリー。
【請求項１２】
アクセサリーが接続されるカメラが備えているコンピュータに、
アクセサリーが接続される接続部に設けられている複数の端子のうちの第１端子の信号状態に応じて、前記接続部に接続された前記アクセサリーの種別を識別するステップ
を実行させるためのプログラム。
【発明の詳細な説明】
【技術分野】
【０００１】
本発明は、カメラ、アクセサリー、及びプログラムに関する。
【背景技術】
【０００２】
カメラは、閃光装置等のアクセサリーとともに使用されることがある（例えば、特許文献１参照）。アクセサリーは、カメラのアクセサリーシュー（シュー座、ホットシュー等とも呼ばれる）に接続されて、使用される。アクセサリーシューは、アクセサリーを制御する制御信号をアクセサリーへ出力する端子を有する。カメラは、アクセサリーシューの端子を介してアクセサリーに制御信号を送信し、アクセサリーを制御することができる。
【先行技術文献】
【特許文献】
【０００３】
【特許文献１】米国特許出願公開第２０１０／０３２９３０２号明細書
【発明の概要】
【発明が解決しようとする課題】
【０００４】
カメラ及びアクセサリーを備えるカメラシステムにおいては、誤作動のないことが期待される。例えばユーザーの操作に応答しないことや応答が遅いこと等があると、そのシステムの使い勝手が悪くなる。本発明は、上記の事情に鑑み成されたものであって、誤作動がなく利便性の高いカメラ、アクセサリー、及びプログラムを提供することを目的とする。
【課題を解決するための手段】
【０００５】
本発明の第１の態様のカメラは、アクセサリーが接続されるカメラであって、アクセサリーに接続される複数の端子が設けられており、前記複数の端子には第１端子が含まれている接続部と、前記第１端子の信号状態に応じて、前記アクセサリーの種類を識別するカメラ制御部を備えることを特徴とする。
【０００６】
本発明の第２の態様のアクセサリーは、第１の態様に記載のカメラに接続されるアクセサリーであって、前記カメラの前記第１端子に接続する第１接続端子が設けられている第１接続部と、アクセサリーの種別を示す信号を前記第１接続端子に供給する第１設定部とを備えることを特徴とする。
【０００７】
本発明の第３の態様のプログラムは、アクセサリーが接続されるカメラが備えているコンピュータに、アクセサリーが接続される接続部に設けられている複数の端子のうちの第１端子の信号状態に応じて、前記接続部に接続された前記アクセサリーの種別を識別するステップを実行させる。
【発明の効果】
【０００８】
本発明によれば、誤作動がなく利便性の高いカメラ、アクセサリー、及びプログラム
を提供することができる。
【図面の簡単な説明】
【０００９】
【図１】第１実施形態の標準機能例におけるカメラシステムの外観を示す図である。
【図２】本実施形態の標準機能例におけるカメラシステムを図１とは反対側から見た図である。
【図３】本実施形態のアクセサリーシューの外観を示す図である。
【図４】本実施形態のアクセサリーシューを示す図である。
【図５】本実施形態のコネクターの外観を示す図である。
【図６】本実施形態の標準機能例におけるカメラシステムの機能構成を示すブロック図である。
【図７】本実施形態の標準機能例におけるアクセサリーの構成、及びアクセサリーとカメラとの接続関係を示す図である。
【図８】（Ａ）は、起動検出レベルとカメラ制御部との接続関係を模式的に示す図、（Ｂ）は、レベル切替部の構成模式的に示す図である。
【図９】本実施形態の機能拡張例１におけるカメラシステム１の外観を示す図である。
【図１０】シュー座１５ＢをＺ軸方向から見た平面図である。
【図１１】機能拡張例１におけるアクセサリー（変換装置７００とアクセサリー４００Ｂ）の構成、及びカメラとアクセサリーとの接続を示すブロック図である。
【図１２】本実施形態の機能拡張例２におけるカメラシステム１の外観を示す図である。
【図１３】機能拡張例２におけるアクセサリー（表示装置）の構成、及びカメラとアクセサリーとの接続を示すブロック図である。
【図１４】本実施形態のカメラシステムにおける処理の手順を示す図である。
【図１５】本実施形態の通信準備シーケンスにおける処理の手順を示す図である。
【図１６】第２実施形態の通信準備シーケンスにおける処理の手順を示す図である。
【発明を実施するための形態】
【００１０】
（第１実施形態）
本発明の第１実施形態について説明する。以下の説明において、同様の構成要素については、同じ符号を付してその説明を簡略化あるいは省略することがある。
【００１１】
［機能拡張を行えるカメラシステムにおいて、機能拡張を行わない構成について］
図１は、本実施形態のカメラシステム１の外観を示す図である。図２は、本実施形態のカメラシステム１を図１とは反対側から見た図である。
【００１２】
図１及び図２に示すカメラシステム１は、カメラ１０（カメラボディ１００及び撮影レンズ２００）及びアクセサリー４００を備える。本実施形態のアクセサリー４００は、発光機能を有し、被写体を照らすことができる。カメラ１０は、アクセサリー４００と通信して、アクセサリー４００を制御することができる。カメラシステム１は、例えば、アクセサリー４００によって被写体を照らしながら、カメラ１０によって被写体の像を撮像することができる。
本実施形態において、カメラシステム１として構成する装置の組み合わせにより、カメラシステム１が処理可能とする機能の範囲が設定される。例えば、上記のようにカメラシステム１が、カメラ１０（カメラボディ１００及び撮影レンズ２００）及びアクセサリー４００によって構成される場合を「標準機能」の構成として定義する。一方、アクセサリー４００に代えて、他のアクセサリーが構成に含まれる場合を「拡張機能」の構成として定義する。「標準機能」には、実施可能とする機能を標準機能より拡張した「拡張機能」として定義される機能を含まない。このように、カメラシステム１は、アクセサリーの種類に応じて、実施可能な処理の範囲が制限される。
【００１３】
図１に示すように、カメラ１０は、カメラボディ１００及び撮影レンズ（交換レンズ）２００を備える。カメラボディ１００は、撮影レンズ２００を取り付け可能なレンズマウント１１を備える。なお、撮影レンズ２００は、カメラボディ１００とマウントするためのレンズ側マウント（不図示）を備えている。撮影レンズ２００はそのレンズ側マウントを介して、レンズマウント１１に対して着脱可能である。カメラボディ１００は、レンズマウント１１が配置されている正面１２に対して側方を向く側面のうち上部に配置された頂面（上面）１３と、正面１２とは反対側に配置された背面１４とを有する。
【００１４】
カメラボディ１００は、それぞれ頂面１３に配置された、レリーズ釦１６、アクセサリーシュー（以下、シュー座１５という）、及び電源スイッチ３１を備える。カメラ１０は、レリーズ釦１６が押下されたことを検出して、撮像処理等の各種処理を行う。シュー座１５は、アクセサリー４００を取り付け可能なように、構成されている。電源スイッチ３１は、カメラボディ１００のオン状態とオフ状態とを切替えるスイッチである。
【００１５】
本実施形態において、図１等に示すＸＹＺ直交座標系を設定し、構成要素の位置関係等を説明することがある。このＸＹＺ直交座標系において、Ｙ軸方向は、撮影レンズ２００の光軸とほぼ平行な方向である。このＸＹＺ直交座標系において、Ｘ軸方向及びＺ軸方向は、それぞれＹ軸方向と直交し、かつ互いに直交する方向である。正面１２及び背面１４は、それぞれ、Ｙ軸方向とほぼ直交している。頂面１３は、Ｚ軸方向とほぼ直交している。
【００１６】
アクセサリー４００は、アクセサリー本体４１０、コネクター４２０、及び発光部４２５を備える。発光部４２５は、それぞれ光を射出する射出面を備えた閃光発光部４３０及び照明光発光部４３５を備える。アクセサリー本体４１０は、照明光発光部４３５及び各種電気部品などを収容している。コネクター４２０は、アクセサリー本体４１０の下方に設けられている。コネクター４２０は、カメラボディ１００のシュー座１５に対して着脱可能である。アクセサリー４００は、コネクター４２０がシュー座１５に装着されることによって、カメラボディ１００に装着されてカメラボディ１００に対して固定される。閃光発光部４３０は、アクセサリー本体４１０に対してコネクター４２０とは反対側（上方）に設けられている。閃光発光部４３０は、アクセサリー４００がカメラボディ１００に取り付けられた状態で且つ閃光発光部４３０の射出面がカメラボディ１００の正面１２側（＋Ｙ方向側）の方向を向いている場合には、撮影レンズ２００の光軸とほぼ平行な方向に閃光照明光（Ｘｅ管からの閃光発光）を発することができる。閃光発光部４３０はその射出面の向き（姿勢）を、アクセサリー本体４１０に対して変化（姿勢変化）できるように設けられている。例えば、閃光発光部４３０の射出面を、アクセサリー本体４１０の上方（＋Ｚ側）に向けて閃光照明光を発することもできる。一方、照明光発光部４３５は、アクセサリー４００がカメラボディ１００に取り付けられた状態で、カメラボディ１００の正面１２側（＋Ｙ側）に向けて（撮影レンズ２００の光軸とほぼ平行な方向に）連続照明光（例えばＬＥＤ照明光）を発することができる。
【００１７】
図２に示すように、カメラボディ１００は、背面１４に配置された表示部１０２と、背面１４に配置された設定スイッチ１０４とを備える。表示部１０２は、液晶表示素子や有機エレクトロルミネッセンス表示素子等の表示素子を備える。表示部１０２は、撮像される画像、各種設定を示す画像、アクセサリー４００の状態を示す画像、撮像条件を示す画像等を表示することができる。設定スイッチ１０４は、カメラ１０とアクセサリー４００の各種設定項目を変更するためのユーザーからの入力を、受け付けることができる。各種設定項目は、ズーム倍率設定、撮影モード設定、ホワイトバランス設定、露光時間設定、表示切替設定のうちの少なくとも１つを含む。撮影モード設定は、例えば、オートモード設定又はマニュアルモード設定である。
【００１８】
図２に示すように、アクセサリー４００は、第１パイロットランプ４５５（パイロットランプ）、第２パイロットランプ４６０（パイロットランプ）、第１操作部４２４、及び第２操作部４７１を備える。第１パイロットランプ４５５は、図１に示した閃光発光部４３０の動作状態に応じて発光する。第２パイロットランプ４６０は、図１に示した照明光発光部４３５の動作状態に応じて発光する。第１操作部４２４は、アクセサリー４００をカメラボディ１００から取り外すために、ユーザーによって操作される操作部材である（換言すれば第１操作部４２４は取外し操作部材である）。第２操作部４７１は、アクセサリー４００の機能全体のオン状態とオフ状態とを切替えるために、ユーザーによって操作される操作部材である（換言すれば第２操作部４７１はＯＮ／ＯＦＦ操作スイッチである）。
【００１９】
図３は、本実施形態のシュー座１５の外観を示す図である。図４は、シュー座１５を図３の上から(図３の天板部２２から−Ｚ軸方向に)、部分的に透過して見た平面図である。
【００２０】
シュー座１５は、底板部２１、天板部２２、底板部２１と天板部２２との間に配置された側板部２３、底板部２１と天板部２２との間に配置された開口２４、及び底板部２１に配置された端子部２５を備える。
【００２１】
底板部２１は、図１に示したカメラボディ１００の頂面１３に取付けられている。底板部２１は、カメラボディ１００の頂面１３に取付けるのに用いられる取り付け孔２６と、アクセサリー４００を係止するのに用いられる係止孔２７とを有する。底板部２１は、取り付け孔２６の内側に配置されるネジ等によって、カメラボディ１００の頂面１３に固定される。本実施形態において、＋Ｚ軸方向を「上方」ということがある。
【００２２】
天板部２２は、上方（Ｚ軸方向）から見た平面形状がほぼＵ字形状である。天板部２２は、上方（Ｚ軸方向）から見て側板部２３よりも内側に張出している。側板部２３は、開口２４から所定の方向（Ｙ軸方向）に延びる一対の内壁を有する。側板部２３の一対の内壁は、内壁の延在方向（Ｙ軸方向）に直交する方向（Ｘ軸方向）にて、互いに向かい合って配置されている。
【００２３】
開口２４は、底板部２１から天板部２２へ向う方向（Ｚ軸方向）に対して交差する方向に向って、開いている。開口２４は、側板部２３の内壁の延在方向（Ｙ軸方向）にほぼ平行な方向に向って、開いている。開口２４は、コネクター４２０を挿入することができるように、寸法及び形状が設定されている。
【００２４】
端子部２５は、図４において符号Ｔｐ１からＴｐ１２で示される複数（１２個）の端子を有する。端子部２５の複数の端子は、それぞれ、側板部２３の内壁の延在方向（Ｙ軸方向）にほぼ平行な方向に、延びている。端子部２５の複数の端子は、側板部２３の内壁の延在方向に対して直交する方向（Ｘ軸方向）に並んで配設されている。端子部２５の端子は、上方から見て、天板部２２に一部重なる（覆われる）領域に配置されている。
【００２５】
複数の端子のうちの少なくとも１つの端子は、他の端子とＹ軸方向の長さが異なっていてもよい。例えば、本実施形態において、符号Ｔｐ１からＴｐ１２で示される１２個の端子は全て、＋Ｙ側の端部の位置が揃っている。その一方で符号Ｔｐ１からＴｐ３で示す３つの端子の長さは、符号Ｔｐ４からＴｐ１２で示される端子よりも−Ｙ軸方向に長い。すなわち、本実施形態において、符号Ｔｐ１からＴｐ３で示す３つの端子は、他の端子よりも−Ｙ側に突出している。後述するようにＴｐ１からＴｐ３はいわゆるグランド端子となっている。これらグランド端子を他端子よりも長い端子構成にした理由は後述する。
【００２６】
アクセサリー４００は、シュー座１５の開口２４にコネクター４２０を挿入して所定の方向（＋Ｙ軸方向）にスライド移動させることによって、シュー座１５に取付けられる（図１参照）。
【００２７】
図５は、本実施形態のコネクター４２０の外観を示す図である。コネクター４２０は、底部４２１と、底部４２１からコネクター４２０の外部に向って突出する可動部材（以下、係止爪４２２という）と、底部４２１に設けられた端子部４２３とを備える。
【００２８】
底部４２１は、コネクター４２０がシュー座１５に取付けられた状態で、シュー座１５の底板部２１と接触する。係止爪４２２は、所定の方向に進退（移動）できるように、設けられている。本実施形態において、係止爪４２２が進退する所定の方向は、係止爪４２２が底部４２１から突出する方向（Ｚ軸方向）である。係止爪４２２は、底部４２１から突出する位置と、アクセサリー４００の内部に収容される位置との間で、移動可能である。係止爪４２２は、底部４２１からコネクター４２０の外部へ突出する側（−Ｚ側）に押されるように、バネ等で付勢されている。係止爪４２２は、コネクター４２０がシュー座１５に取付けられる際にコネクター４２０がスライド移動されるにつれて、シュー座１５の底板部２１に押されて（力を受けて）＋Ｚ側に退避した後に、係止孔２７の形成位置で係止孔２７内に進出する。これにより、コネクター４２０は、係止爪４２２がシュー座１５の係止孔２７の内周面と係止され、スライド方向（Ｙ軸方向）においてシュー座１５に対する移動が規制される。
【００２９】
コネクター４２０は、開口２４に挿入された状態で、底板部２１と天板部２２との間に配置され、底板部２１から天板部２２に向う方向においてシュー座１５に対する移動が規制される。コネクター４２０は、開口２４に挿入された状態で、側板部２３の一対の内壁の間に配置され、側板部２３の一方の内壁から他方の内壁に向う方向（Ｘ軸方向）においてシュー座１５に対する移動が規制される。
【００３０】
第１操作部４２４（図２参照）は、係止爪４２２を所定の方向に移動させるために、ユーザーによって操作可能な操作部材である。本実施形態の第１操作部４２４は、アクセサリー本体４１０の背面側に設けられている。第１操作部４２４は、ユーザーの操作により受ける力を係止爪４２２に伝えるリンク機構を備える。係止爪４２２は、第１操作部４２４のリンク機構から受ける力によって、所定の方向（図５の＋Ｚ軸方向）に移動する。つまり係止爪４２２は、図３に示した係止孔２７に係止されている状態で第１操作部４２４が操作された場合に、係止孔２７の内側から退避するように＋Ｚ側に移動する。これにより、アクセサリー４００は、カメラボディ１００に対する位置の規制が解除され、カメラボディ１００から取り外すことが可能な状態になる。
【００３１】
端子部４２３は、符号Ｔｓ１からＴｓ１２で示される複数（１２個）の端子を有する。
端子部４２３が有する端子の数は、シュー座１５の端子部２５が有する端子の数と同じである。端子部４２３が有する複数の端子は、それぞれ、シュー座１５の端子部２５が有する複数の端子の何れかと１対１で対応している。端子部４２３が有する複数の端子は、それぞれ、コネクター４２０がシュー座１５に接続された状態で、シュー座１５の端子部２５が有する複数の端子のうちの対応関係にある端子と接触して電気的に接続される。
【００３２】
図６は、本実施形態のカメラシステムの機能構成を示すブロック図である。図６に示すように、撮影レンズ２００は、光学系２１０、光学系駆動部２２０、及び光学系制御部２３０を含む。被写体から撮影レンズ２００へ入射した光は、光学系２１０を通ってカメラボディ１００の撮像素子１２１の受光面へ入射する。
【００３３】
光学系２１０は、レンズや絞り等の複数の光学部品、及び複数の光学部品を収容するレンズ鏡筒等を備える。光学系２１０は、カメラボディ１００の外部から入射した光を結像させることができる。
【００３４】
光学系駆動部２２０は、光学系２１０を駆動するアクチュエータ、光学系２１０における光学部品の位置を検出するエンコーダ、及び手振れ等による光学系２１０の移動（併進移動と回転移動の少なくとも一方）を検出するセンサーを備える。光学系駆動部２２０のアクチュエータは、例えば、フォーカシング制御用モータ、パワーズーム制御用モータ、絞り開口制御用モータ、手ブレ補正（Ｖｉｂｒａｔｉｏｎ  Ｒｅｄｕｃｔｉｏｎ；ＶＲ）制御用モータ、伸筒・縮筒制御用モータを含む。
【００３５】
光学系駆動部２２０は、光学系制御部２３０からの制御指令に従って光学系駆動部２２０のアクチュエータを動作させることによって、フォーカシング制御、ズーミング制御、露出制御、ＶＲ制御、及び撮影レンズ２００の伸縮制御を行うことができる。フォーカシング制御は、光学系２１０が有するレンズ等の光学部品の少なくとも１つをフォーカシング制御用モータによって光軸方向に移動して、光学系２１０の焦点を調整する制御である。ズーミング制御は、光学系２１０が有するレンズ等の光学部品の少なくとも１つをパワーズーム制御用モータによって光軸方向に移動して、撮像画角を変更する制御である。露出制御は、光学系２１０を構成する絞りを絞り開口制御用モータにより駆動して、絞りの開口サイズを変化させることによって、光学系２１０を通って撮像素子１２１へ入射する光の光量等を調整する制御である。ＶＲ制御は、光学系２１０が有するレンズ等の光学部品の少なくとも１つをＶＲ制御用モータによって光軸と交差する方向に移動して、手ブレによる像揺れを補正する制御である。伸縮制御は、伸筒・縮筒制御用モータを駆動することによって、撮影レンズ２００を光軸方向に伸筒又は縮筒させる制御である。
【００３６】
光学系駆動部２２０は、カメラボディ１００の電池収納部１１０に収納された電池ＢＡＴから電力が供給される。光学系駆動部２２０は、カメラボディ１００のレンズマウント１１に配置された端子を介して、電池ＢＡＴから電力が供給される。光学系駆動部２２０を構成するアクチュエータ、エンコーダ、及びセンサーは、電池ＢＡＴから供給される電力によって動作する。
【００３７】
光学系制御部２３０は、カメラボディ１００のレンズマウント１１に配置された端子を介して、カメラボディ１００のカメラ制御部１７０（後述する）と通信することができる。光学系制御部２３０は、光学系駆動部２２０のエンコーダの検出結果を示す情報及びセンサーの検出結果を示す情報を、カメラ制御部１７０に供給することができる。光学系制御部２３０からカメラ制御部１７０に供給される情報は、撮影レンズ２００の種類を示すレンズ種類情報、レンズ焦点距離情報、露出制御によって設定された絞り値、フォーカシング制御により設定された被写体焦点距離情報、消費電力情報等を含む。消費電力情報は、駆動状態に消費する消費電力を示し、レンズ種類情報や、駆動されている状態に応じて変化する情報である。
【００３８】
アクセサリー４００は、閃光発光部４３０、照明光発光部４３５、アクセサリー制御部４４０、及び不揮発性メモリー４４５を含む。照明光発光部４３５、アクセサリー制御部４４０、及び不揮発性メモリー４４５は、例えば、図１及び図２に示したアクセサリー本体４１０に収容されている。アクセサリー４００の詳細については、後述する。
【００３９】
カメラボディ１００は、電池収納部１１０、撮像処理部１２０、シャッター駆動部１３０、表示部制御回路１３５、メモリー１４０、メモリー制御回路１４５、入力部１５０、操作検出回路１５５、記憶部１５８、及びカメラ制御部１７０を備える。
【００４０】
電池収納部１１０は、一次電池や二次電池等の電池ＢＡＴを収納することができる。電池ＢＡＴは、電池収納部１１０に収納されることによって、カメラボディ１００に搭載される。電池収納部１１０に収納された電池ＢＡＴは、カメラシステム１の構成要素、例えば表示部１０２や撮影レンズ２００、アクセサリー４００等の動作に必要な電力（ＰＷＲ）を供給することができる。
【００４１】
撮像処理部１２０は、撮像素子１２１、撮像素子制御回路１２２、及び画像回路１２３を備える。撮像素子１２１は、二次元的に配列された複数の画素を備える。撮像素子１２１の各画素は、ＣＣＤ（Ｃｈａｒｇｅ  Ｃｏｕｐｌｅｄ  ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサー等の受光素子を備える。撮像素子１２１の受光素子は、光学系２１０から各画素へ入射した光の光量に応じた電荷を発生する。撮像素子１２１は、各画素に入射した光により受光素子に発生した電荷を信号に変換する。撮像素子１２１は、光学系２１０を介して撮像素子１２１の受光面に形成された像（光学像）に応じたアナログの画像信号を生成する。撮像素子１２１は、撮像素子制御回路１２２と画像回路１２３のそれぞれに接続されている。画像回路１２３は、撮像素子１２１から出力された画像信号を増幅し、アナログの画像信号をデジタル信号に変換する。撮像素子制御回路１２２は、撮像素子１２１を制御して、撮像素子１２１に像に応じた画像信号を生成させることや、生成した画像信号を出力させること等ができる。
【００４２】
シャッター駆動部１３０は、カメラボディ１００に収容されているシャッターの開閉を制御する。このシャッターは、光学系２１０を通って撮像素子１２１の受光面へ入射してくる光を、シャッターが閉じた状態で遮光する。なお、カメラボディ１００に露出制御用のシャッター機構が搭載されていない場合には、このシャッター駆動部１３０も不要である。
【００４３】
表示部制御回路１３５は、例えば、表示部１０２の点灯や明るさ調整、消灯等の表示制御や、カメラ制御部１７０から出力される画像データを表示部１０２に表示させる処理を行う。
【００４４】
メモリー１４０は、例えば、メモリーカード等のようにカメラボディ１００から抜き差し可能な記憶媒体である。メモリー１４０は、例えば、カメラ制御部１７０によって生成される画像データ等を記憶する。メモリー制御回路１４５は、カメラ制御部１７０とメモリー１４０との間の情報の入出力を制御する。メモリー制御回路１４５は、例えば、カメラ制御部１７０によって生成された画像データ等の情報をメモリー１４０に記憶させる処理や、メモリー１４０に記憶されている画像データ等の情報を読み出してカメラ制御部１７０に出力する処理等を行う。
【００４５】
入力部１５０は、ユーザーが操作することが可能な設定スイッチ１０４及びレリーズ釦１６を備える。操作検出回路１５５は、入力部１５０に入力されたユーザーの操作を検出する。操作検出回路１５５は、入力部１５０に入力されたユーザーの操作を示す操作情報を生成し、生成した操作情報をカメラ制御部１７０に出力する。
【００４６】
記憶部１５８は、不揮発性メモリー１６０及びバッファメモリー１６５を備える。不揮発性メモリー１６０は、カメラ制御部１７０を動作させるプログラムや、撮像により生成された画像データ、装置の状態を示す情報、カメラシステム１の各負荷部の消費電力を示す情報、ユーザーから入力された各種設定や撮像条件、カメラ１０に接続されているアクセサリーの種類を示すアクセサリー種類情報、機能拡張設定情報等の情報を記憶する。装置の状態を示す情報は、カメラボディ１００の電池収納部１１０に収納された電池ＢＡＴの電圧情報（電池残量）、撮影レンズ２００の各アクチュエータの制御状態を示す情報等を含む。カメラシステム１の各負荷部の消費電力を示す情報は、シャッター駆動部１３０で消費される（動作に必要な）電力、撮影レンズ２００のアクチュエータで消費される（動作に必要な）電力、アクセサリー４００で消費される(動作に必要な)電力等を含む。アクセサリー種類情報と機能拡張設定情報は、外部装置であるアクセサリーから供給される信号に基づいてカメラ制御部１７０が生成した情報を含む。バッファメモリー１６５は、カメラ制御部１７０の制御処理に用いられる一時的な情報の記憶部である。カメラ制御部１７０は、例えば、撮像素子１２１から出力される画像信号や、画像信号に応じて生成された画像データ等をバッファメモリー１６５に一時的に記憶させる。
【００４７】
カメラ制御部１７０は、不揮発性メモリー１６０に記憶されたプログラムに基づいてカメラボディ１００の構成要素の動作を制御するＣＰＵ（Ｃｅｎｔｒａｌ  Ｐｒｏｃｅｓｓｉｎｇ  Ｕｎｉｔ）と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の電子部品とを備える。カメラ制御部１７０は、例えば、操作検出回路１５５がカメラ制御部１７０に出力した操作情報に応じて、カメラボディ１００への電源の投入や、光学系駆動部２２０を介した光学系２１０の駆動制御、撮像素子制御回路１２２を介した撮像素子１２１の駆動制御、表示部制御回路１３５を介した表示部１０２の表示制御、画像回路１２３に出力された画像信号に対する処理の制御等を行う。
【００４８】
カメラ制御部１７０は、画像処理部１７１、表示制御部１７２、撮像制御部１７３、操作検出処理部１７４、電力制御部１７５、及び通信部１７６を含む。
【００４９】
画像処理部１７１は、画像回路１２３から出力された画像信号に基づいて、画像データを生成する画像処理を行う。画像処理部１７１は、画像処理により生成した画像データをバッファメモリー１６５に記憶させる。
【００５０】
表示制御部１７２は、画像処理部１７１によって生成されバッファメモリー１６５に記憶された画像データを一定時間間隔ごとに読み出し、読み出した画像データを表示部１０２に繰り返し表示させる。また、表示制御部１７２は、画像処理部１７１によって生成されバッファメモリー１６５に記憶された画像データを一定時間間隔ごとに読み出し、動画形式のデータ（動画データ）としてメモリー１４０に記録させる。また、表示制御部１７２は、後述する電力制御部１７５の判定結果に応じて、電池ＢＡＴの充電残量を表示部１０２に表示させる。
本実施形態における表示制御部１７２は、後述する機能拡張時には、読み出した画像データを表示装置９００の表示部９８０に繰り返し表示させる情報を表示装置９００に出力する。
【００５１】
操作検出処理部１７４は、操作検出回路１５５が出力した操作情報に基づいて操作検出回路１５５が検出したユーザーの操作を判定し、判定した情報をバッファメモリー１６５に記憶させる。操作検出処理部１７４は、ユーザーからの操作に応じた各種処理の制御指令を、操作に対応する処理を実行する構成要素（機能部）に出力する。操作検出処理部１７４は、例えば撮像処理の実行を要求する旨の入力部１５０への入力を操作検出回路１５５が検出した場合に、操作検出回路１５５が操作検出処理部１７４に出力した操作情報に基づいて、撮像処理の実行を要求する制御指令を撮像制御部１７３に出力する。また、操作検出処理部１７４は、例えばオートフォーカス（ＡＦ）処理の実行を要求する旨の入力部１５０への入力を操作検出回路１５５が検出した場合に、操作検出回路１５５が操作検出処理部１７４に出力した操作情報に基づいて、ＡＦ処理の実行を要求する制御指令を出力する。ＡＦ処理において、光学系制御部２３０は、操作検出処理部１７４が出力した制御指令に基づいて、光学系２１０を介して撮像素子１２１で検出された画像を利用した測距結果を参照しつつ、光学系駆動部２２０のフォーカシング制御用モータを制御して、例えばユーザーが指定した被写体にピントが合うように、光学系２１０の焦点を調整する。
【００５２】
撮像制御部１７３は、操作検出回路１５５が出力した制御指令に基づいて、カメラシステム１の構成要素に撮像処理を実行させるための制御信号を、カメラシステム１の構成要素に出力する。撮像制御部１７３は、撮像処理に関連する処理として、例えば以下のような処理を実行させる。撮像処理において、撮像制御部１７３は、予めユーザーから入力された撮像条件に応じて、光学系制御部２３０を介して光学系２１０のフォーカシング制御、露出制御、ズーミング制御、ＶＲ制御等の制御を行う。また、撮像制御部１７３は、撮像処理において、シャッター駆動部１３０を制御することによって、シャッターが開いている時間（露光時間）を制御し、撮像素子１２１の受光面に光学系２１０からの光を露光時間だけ照射させる。また、撮像制御部１７３は、必要に応じて、アクセサリー４００を制御して、撮影タイミングに同期させてアクセサリー４００から光を照射させる。
【００５３】
電力制御部１７５は、電池ＢＡＴから出力される電源電圧を検出した結果と判定閾値とを比較することにより、電池ＢＡＴにおける電力の残量を判定する。また、電力制御部１７５は、カメラシステム１の各負荷部の消費電力を示す情報を収集し、カメラシステム１の各負荷部の消費電力を監視する。
【００５４】
通信部１７６は、カメラボディ１００の内部の各負荷部を制御する負荷制御部と通信可能に接続される。カメラボディ１００の内部の負荷部は、例えば表示部１０２等であり、負荷制御部は、例えば表示部制御回路１３５等である。また、通信部１７６は、カメラシステム１のうちカメラボディ１００の外部に配置される外部装置に対して、各外部装置の制御部と通信可能な状態で接続される。本実施形態の撮影レンズ２００は、外部装置の１つであり、光学系制御部２３０が通信部１７６と通信可能に接続される。また、本実施形態のアクセサリー４００は、外部装置の１つであり、アクセサリー制御部４４０が通信部１７６と通信可能に接続される。また、アクセサリー４００以外の他の外部装置には、アクセサリー４００と規格の異なる照明装置（例えば、アクセサリー４００Ｂ（図１１））、ＧＰＳ装置、表示装置（例えば、電子ビューファインダー（ＥＶＦ）装置（表示装置９００（図１３））、プロジェクタなど）、無線通信装置、マイク、アクセサリーシュー変換装置(例えば、変換装置７００（図１１）)などが含まれる。アクセサリー４００Ｂ（図１１）は、変換装置７００を介してカメラボディ１００に装着されている場合において、アクセサリー制御部４４０Ｂが通信部１７６と通信可能に接続される。表示装置９００（図１３）は、カメラボディ１００に装着されている場合において、表示駆動部９４０（図１３）が通信部１７６と通信可能に接続される。
【００５５】
機能拡張処理部１７７は、カメラボディ１００に接続されたアクセサリーの種類を検出し、検出したアクセサリーの種類に応じた機能を動作可能な状態にする。
カメラシステム１には、「標準機能」としてカメラ制御部１７０が機能するように設定されている各機能がある。この「標準機能」に対し、アクセサリーの種類に応じて動作可能とする「拡張機能」がある。例えば、「拡張機能」には、カメラボディ１００からの給電を必要としない外部装置（例えば、アクセサリー４００Ｂ、変換装置７００）に対する制御機能や、外部装置として設けられる表示装置(例えば、表示装置９００)に対する制御機能などが含まれる。機能拡張処理部１７７は、端子部２５を介して供給される信号からアクセサリーの種類を検出してアクセサリー種類情報と機能拡張情報の少なくとも何れか一方を生成し、記憶部１５８に記憶させる。例えば、端子部２５を介して供給される信号には、後述するアクセサリー４００の種類を識別する情報を通知する機能拡張設定信号Ｏｐが含まれる。
なお、カメラ制御部１７０の各部は、記憶部１５８に記憶されているアクセサリー種類情報と機能拡張情報の少なくとも何れか一方に基づいて実行する処理の範囲を判定し、判定結果に応じて機能を動作可能な状態になるように制御する。
【００５６】
図７は、本実施形態のアクセサリー４００の構成、及びアクセサリー４００とカメラ１０(上述したカメラボディ１００及び撮影レンズ２００)との接続関係を示す図である。
【００５７】
まず、カメラ１０について説明する。カメラ１０は、負荷部３０、電源スイッチ３１、電源部３２、及びアクセサリー電源制御部３３を備える。
【００５８】
負荷部３０は、既述のシャッター駆動部１３０や表示部１０２等のようにカメラボディ１００の負荷部と、光学系駆動部２２０や光学系制御部２３０等のようにカメラボディ１００の外部の負荷部とを含む。負荷部３０は、消費電力が大きい重負荷部と、重負荷部よりも相対的に消費電力が小さい軽負荷部とを含む。重負荷部は、例えば光学系駆動部２２０やカメラボディ１００におけるシャッター駆動部１３０等のように、アクチュエータを有する負荷部を含む。軽負荷部は、光学系制御部２３０や画像処理部１７１、各制御回路、表示部等を含む。
【００５９】
電源スイッチ３１は、電池ＢＡＴから負荷部３０の重負荷部への電力の供給を遮断するスイッチである。
【００６０】
電源部３２は、電池ＢＡＴから供給される電力に基づいて、電池ＢＡＴの出力電圧を安定化して負荷部３０の軽負荷部及びカメラ制御部１７０に供給する。電源部３２は、電池ＢＡＴの出力電圧を検出する電圧検出センサーと、電池ＢＡＴの出力電圧を安定化する定電圧回路とを備える。
【００６１】
アクセサリー電源制御部３３は、第１端子、第２端子、及び制御端子を備える。アクセサリー電源制御部３３は、制御端子に入力される制御信号に応じて、第１端子と第２端子の間を導通状態にするか否かを切替えるスイッチである。本実施形態の説明において、スイッチが自身の端子間を導通状態にすることを「回路を閉路する」と呼び、スイッチが自身の端子間を非導通状態にすることを「回路を遮断する」と呼ぶ。
【００６２】
カメラボディ１００の端子部２５は、アクセサリー４００の端子部４２３と電気的に接続可能である。端子部２５は、符号Ｔｐ１から符号Ｔｐ１２で示される複数の端子を含む（図４参照）。本実施形態の説明において、シュー座１５の端子部２５の各端子を、端子の並び順を示す番号を付して、区別する場合がある。この番号は、端子の配列方向（Ｘ軸方向）の一方側（＋Ｘ側）から他方側（−Ｘ側）に向って昇順する番号である。例えば、端子部２５の複数の端子のうち、最も＋Ｘ側に配置された端子を１番目の端子と呼び、最も−Ｘ側に配置された端子を１２番目の端子と呼ぶ。
【００６３】
図４及び図７に示すように、カメラボディ１００の端子部２５における各端子は、次のように割り付けられる。
【００６４】
端子部２５において、１１番目の端子（以下、電源端子Ｔｐ１１という）と１２番目の端子（以下、電源端子Ｔｐ１２という）は、それぞれ、カメラボディ１００内の電池ＢＡＴからの電力ＰＷＲをアクセサリー４００側に供給する端子である。
【００６５】
１番目の端子（以下、接地端子Ｔｐ１という）と、２番目の端子（以下、接地端子Ｔｐ２という）は、それぞれ、電源端子Ｔｐ１１及び電源端子Ｔｐ１２に対応する接地端子である。接地端子Ｔｐ１及び接地端子Ｔｐ２は、電位が電力ＰＷＲの基準電位になる端子である。また接地端子Ｔｐ１及び接地端子Ｔｐ２は、電力ＰＷＲを利用するカメラボディ１００内の回路（負荷部３０の重負荷部）用の接地端子である。
【００６６】
３番目の端子（以下、基準電位端子Ｔｐ３という）と５番目の端子（以下、基準電位端子Ｔｐ５という）は、それぞれ、電位が基準電位ＳＧＮＤ（シグナルグランド）になる端子である（即ち、信号の授受を行うための基準となる電位となる端子である）。また基準電位端子Ｔｐ３及び基準電位端子Ｔｐ５は、カメラボディ１００内の回路（カメラ制御部１７０、電源部３２、負荷部３０の軽負荷部）用の接地端子である。
【００６７】
４番目の端子（以下、同期信号端子Ｔｐ４という）は、アクセサリー４００側で生成する通信用クロック信号である同期信号（クロック信号）ＣＬＫがアクセサリー４００から入力される端子である。
【００６８】
６番目の端子（以下、通信信号端子Ｔｐ６という）は、カメラ側データ（各種コマンドを含む）を含む通信信号ＤＡＴＡをアクセサリー４００側に出力する端子でもあり、且つその逆に、アクセサリー４００側の各種情報（アクセサリー４００の固有情報や設定情報など）を含む通信信号ＤＡＴＡがアクセサリー４００側から入力される端子でもある。
【００６９】
７番目の端子（以下、起動状態検出端子Ｔｐ７という）は、シュー座１５に対してコネクター４２０が装着された状態であり且つアクセサリー起動状態を示す（換言すれば、アクセサリー４００が起動して機能できる起動状態（機能可能状態）を示す）起動検出レベル（電気的なＬレベル）ＤＥＴをアクセサリー４００側が提供しているか否かを、カメラ制御部１７０が検出するための端子である（詳細は図９にて後述する）。
【００７０】
８番目の端子（以下、発光制御信号端子Ｔｐ８という）は、アクセサリー４００の閃光発光部４３０と照明光発光部４３５の少なくとも一方の発光を制御する発光制御（発光指令）信号Ｘをアクセサリー４００に対して出力する端子である。発光制御（発光指令）信号Ｘは、ひらたく言えば、閃光発光部４３０又は照明光発光部４３５に対して発光開始を指示する制御指令である。
【００７１】
９番目の端子（以下、通信制御信号端子Ｔｐ９という）は、カメラ１０からアクセサリー４００に対して通信を始める際に通信制御（通信開始）信号Ｃｓをカメラ１０からアクセサリー４００に対して出力する端子である。この通信制御信号Ｃｓは、前述の通信信号端子Ｔｐ６を介したカメラ１０とアクセサリー４００との間のＤＡＴＡ通信の通信開始タイミングを定める信号である。
【００７２】
１０番目の端子（以下、機能拡張設定端子Ｔｐ１０という）は、アクセサリー４００の種類を識別する機能拡張設定信号Ｏｐがアクセサリー４００から供給される端子である。この機能拡張設定信号Ｏｐは、ひらたく言えば、接続されたアクセサリー４００の種類を識別する信号である。
なお、上記の４番目の端子、６番目の端子、８番目の端子及び９番目の端子については、アクセサリーの種類に応じて上記と異なる機能を有する端子として定義される場合がある。例えば、アクセサリーの種類が表示装置（例えば、表示装置９００）として識別される場合である。アクセサリーの種類が表示装置と識別された場合、上記の４番目の端子、６番目の端子、８番目の端子及び９番目の端子を次のように定義する。
４番目の端子（以下、このような場合には、同期信号端子Ｔｐ４に代えて表示信号端子Ｔｐ４’という。）は、カメラ１０からアクセサリー側に対して表示信号を出力する端子である。６番目の端子（以下、このような場合には、通信信号端子Ｔｐ６に代えて表示信号端子Ｔｐ６’という。）は、カメラ１０からアクセサリー側に対して表示信号を出力する端子である。表示信号端子Ｔｐ４’と表示信号端子Ｔｐ６’から出力される信号は、対となる差動信号である。
８番目の端子（以下、このような場合には、発光制御信号端子Ｔｐ８に代えてＣＬＫ端子Ｔｐ８’という）は、表示装置９００の表示駆動部９４０（図１３）に情報を送る際のタイミング信号を出力する。
９番目の端子（以下、このような場合には、通信制御信号端子Ｔｐ９に代えてＤＡＴＡ端子Ｔｐ９’という））は、表示装置９００の表示駆動部９４０（図１３）に情報を送る際のデータ信号を出力する。ＣＬＫ端子Ｔｐ８’とＤＡＴＡ端子９’とから出力される各信号に応じて、表示装置９００の制御回路にカメラ１０からの情報が送られ、表示装置９００における表示状態が制御される。
【００７３】
また、上記の端子配列において、電源端子Ｔｐ１１及び電源端子Ｔｐ１２は、端子部２５の複数の端子の配列方向（Ｘ軸方向）において、一方側（−Ｘ側）に偏らせて配置されている。換言すると、電源端子Ｔｐ１１及び電源端子Ｔｐ１２は、端子部２５の１２個の端子配列において、一方の端部に寄せて（まとめて）並んで配置されている。接地端子Ｔｐ１及び接地端子Ｔｐ２は、端子部２５の複数の端子の配列方向（Ｘ軸方向）において、他方側（＋Ｘ側）に偏らせて、配置されている。換言すると、接地端子Ｔｐ１及び接地端子Ｔｐ２は、端子部２５の１２個の端子配列において、他方の端部（電源端子Ｔｐ１１及び電源端子Ｔｐ１２の配置側とは反対側の端部）に寄せて（まとめて）並んで配置されている。
【００７４】
また、上記の端子配列において、端子部２５の１２個の端子のうちでアクセサリー４００に制御信号を出力する端子（通信信号端子Ｔｐ６、発光制御信号端子Ｔｐ８、通信制御信号端子Ｔｐ９）、アクセサリー４００から制御信号が入力される端子（同期信号端子Ｔｐ４）、及びアクセサリー４００が機能可能な状態かを識別する端子（起動状態検出端子Ｔｐ７）はいずれも、電源端子Ｔｐ１１と接地端子Ｔｐ２との間に配置されている。
【００７５】
また、上記の端子配列において、機能拡張設定端子Ｔｐ１０は、端子部２５の１２個の端子配列において、電源端子Ｔｐ１１と通信制御信号端子Ｔｐ９との間に配置されている。
【００７６】
また、上記の端子配列において、通信制御信号端子Ｔｐ９の、機能拡張設定端子Ｔｐ１０とは反対側の隣には、発光制御信号端子Ｔｐ８が配置されている。この発光制御信号端子Ｔｐ８の、通信制御信号端子Ｔｐ９とは反対側の隣には起動状態検出端子Ｔｐ７が配置されている。すなわち、発光制御信号端子Ｔｐ８は、起動状態検出端子Ｔｐ７と通信制御信号端子Ｔｐ９とに挟まれるように配置されている。
【００７７】
また、上記の端子配列において、起動状態検出端子Ｔｐ７の、発光制御信号端子Ｔｐ８とは反対側の隣には、通信信号端子Ｔｐ６が配置されている。すなわち、起動状態検出端子Ｔｐ７は、通信信号端子Ｔｐ６と発光制御信号端子Ｔｐ８とに挟まれるように、配置されている。
【００７８】
また、上記の端子配列において、通信信号端子Ｔｐ６の、起動状態検出端子Ｔｐ７とは反対側の隣には、基準電位端子Ｔｐ５が配置されている。すなわち、通信信号端子Ｔｐ６は、基準電位端子Ｔｐ５と起動状態検出端子Ｔｐ７とに挟まれるように、配置されている。
【００７９】
上記の端子配列において、基準電位端子Ｔｐ５の、通信信号端子Ｔｐ６とは反対側の隣には、同期信号端子Ｔｐ４が配置されている。この同期信号端子Ｔｐ４の、基準電位端子Ｔｐ５とは反対側の隣にはもう一つの基準電位端子Ｔｐ３が配置されている。すなわち、同期信号端子Ｔｐ４は、２つの基準電位端子（Ｔｐ３とＴｐ５）の間に挟まれるように、配置されている。
そして基準電位端子Ｔｐ３の、同期信号端子Ｔｐ４とは反対側の隣には、接地端子Ｔｐ２が配置されている。すなわちＧＮＤ関係の３つの端子（基準電位端子Ｔｐ３と２つの接地端子Ｔｐ１，Ｔｐ２）が端子配列の一方の端部近傍において偏って配置されている。
【００８０】
なお、端子部２５の各端子に入力される信号、各端子が出力する信号の詳細については、後述する。
【００８１】
カメラ制御部１７０（機能拡張処理部１７７）は、実行可能とする処理の制限条件を、アクセサリーの種類を示す情報（アクセサリー種類情報等）に応じて変更することにより、実行可能な機能を拡張させる。
例えば、本実施形態において、アクセサリー４００がカメラ１０に装着されている場合の処理を標準機能に含まれる処理として定義した。カメラ制御部１７０は、アクセサリー４００と同様の制御信号を扱うアクセサリーがカメラ１０に装着されている場合には、端子部２５及び端子部４２３を介して、アクセサリー（アクセサリー４００）と通信してアクセサリー（アクセサリー４００）を制御するための制御信号を、アクセサリー（アクセサリー４００）に供給する。本実施形態において、カメラ制御部１７０がアクセサリー（アクセサリー４００）に供給する制御信号は、例えば、アクセサリー４００における発光部４２５の発光を制御する発光制御信号Ｘ、通信信号ＤＡＴＡ、及びカメラ１０とアクセサリー４００との間の通信タイミングを定める通信制御信号Ｃｓである。
【００８２】
次に、カメラ制御部１７０は、アクセサリー４００Ｂが変換装置７００を介してカメラ１０に装着されている場合を機能拡張する場合として説明する。カメラ制御部１７０は、アクセサリー４００Ｂが変換装置７００を介してカメラ１０に装着されている場合には、端子部２５を介してアクセサリー４００がカメラ１０に装着されている場合と同様に、アクセサリー４００Ｂと通信してアクセサリー４００Ｂを制御するための制御信号を、アクセサリー４００Ｂに供給する。本実施形態において、カメラ制御部１７０がアクセサリー４００Ｂに供給する制御信号は、アクセサリー４００Ｂにおける発光部４２５の発光を制御する発光制御信号Ｘ、通信信号ＤＡＴＡ、及びカメラ１０とアクセサリー４００Ｂとの間の通信タイミングを定める通信制御信号Ｃｓである。
また、カメラ制御部１７０は、表示装置９００がカメラ１０に装着されている場合も機能拡張する場合に含む。カメラ制御部１７０は、表示装置９００がカメラ１０に装着されている場合には、端子部２５及び端子部４２３を介して、表示装置９００と通信して表示装置９００を制御するための制御信号を、表示装置９００に供給する。本実施形態において、カメラ制御部１７０が表示装置９００に供給する制御信号は、表示装置９００における表示部９８０の表示状態を制御する表示制御信号（ＤＡＴＡ）である。
【００８３】
カメラ制御部１７０は、図６に示した不揮発性メモリー１６０とバッファメモリー１６５の少なくとも一方に記憶されている情報を読み出して、読み出した情報をアクセサリー制御部４４０へ送信する。カメラ制御部１７０は、アクセサリー制御部４４０から受信した情報を不揮発性メモリー１６０とバッファメモリー１６５の少なくとも一方に記憶させる。
【００８４】
不揮発性メモリー１６０に記憶されている情報は、カメラ１０の初期状態を示すカメラ初期状態情報、及びカメラの設定状態を示すカメラ設定状態情報を含む。カメラ制御部１７０は、カメラ初期状態情報又はカメラ設定状態情報に含まれる各種の情報のうちの少なくとも１つの情報を、アクセサリー制御部４４０へ送信することができる。
【００８５】
カメラ初期状態情報は、カメラ１０の種類を示す情報、カメラ１０が有する機能の種類を示す情報、カメラ１０が有する各機能の特性を示す情報等を含む。カメラ１０が有する機能の種類を示す情報は、例えば、ＡＥ制御を行うか否かを示す情報、ＡＷＢ制御を行うか否かを示す情報等である。カメラ設定状態情報は、カメラ１０が有する各機能を機能させるか否かを示す設定情報、カメラ１０の撮影モードを示す情報等である。撮影モードを示す情報は、例えば、カメラ１０が動画として画像を撮像する撮影モードに設定されているか否かを示す情報、カメラ１０が静止画として画像を撮像する撮影モードに設定されている否かを示す情報等である。カメラ１０が静止画として画像を撮像する撮影モードに設定されていることを示す情報は、例えば、単写と連写のいずれを行うモードに設定されているか否かを示す情報である。単写を行うモードは、例えば、レリーズ釦１６が押下されるたびに１枚の画像を撮像する撮影モードである。連写を行うモードは、レリーズ釦１６が押下されている間に、複数の画像を撮像する撮影モードである。
【００８６】
（カメラ１０とアクセサリー４００とを含む構成ついて）
次に、図７を参照してカメラ１０における各構成要素の接続関係について説明する。以下の説明における電池ＢＡＴは、電池収納部１１０に収納された状態とする。電池ＢＡＴの正極は、電源線４０（ＰＷＲ）を介して、電源スイッチ３１の一端に接続されている。
電源スイッチ３１の他端は、負荷部３０の重負荷部の電源端子に接続されている。負荷部３０の重負荷部の接地端子は、接地線４１（ＰＧＮＤ）を介して、電池収納部１１０に収納された電池ＢＡＴの負極に接続されている。
【００８７】
また、電池ＢＡＴの正極は、電源線４０を介して、電源部３２の入力端子に接続されている。電源部３２の第１出力端子は、負荷部３０の軽負荷部の電源端子に接続されている。負荷部３０の軽負荷部の接地端子は、接地線４２（ＳＧＮＤ）を介して、電池ＢＡＴの負極に接続されている。また、電源部３２の第２出力端子は、カメラ制御部１７０の電源端子に接続されている。第２出力端子の電位は、第１出力端子の電位と異なっている。カメラ制御部１７０の接地端子は、接地線４２（ＳＧＮＤ）を介して、電池ＢＡＴの負極に接続されている。
【００８８】
接地端子Ｔｐ１は、接地線４３（ＧＮＤ）を介して、電池ＢＡＴの負極に接続されている。接地端子Ｔｐ２は、接地端子Ｔｐ１とは並列に、接地線４３を介して電池ＢＡＴの負極に接続されている。基準電位端子Ｔｐ３は、接地線４２を介して、電池ＢＡＴの負極に接続されている。基準電位端子Ｔｐ５は、基準電位端子Ｔｐ３とは並列に、接地線４２を介して電池ＢＡＴの負極に接続されている。なお、本実施形態のカメラ１０のグランドは、いわゆる一点グランド（一点アース）を採用している。
【００８９】
同期信号端子Ｔｐ４、通信信号端子Ｔｐ６、起動状態検出端子Ｔｐ７、発光制御信号端子Ｔｐ８、通信制御信号端子Ｔｐ９、及び機能拡張設定端子Ｔｐ１０は、それぞれ、信号線を介してカメラ制御部１７０に接続されている。
通信信号端子Ｔｐ６に接続しているラインにはプルアップ抵抗が設けられている。このプルアップ抵抗は電源部３２の出力側に電気的に接続されている。このため通信信号端子Ｔｐ６における電位（レベル）は、アクセサリー４００の装着前及びアクセサリー４００との通信開始前にＨレベルに維持される。なお、起動状態検出端子Ｔｐ７に接続しているラインにも、上記通信信号端子Ｔｐ６と同様に、プルアップ抵抗が設けられている。これについては図８を参照して後述する。また、機能拡張設定端子Ｔｐ１０に接続しているラインにも、上記通信信号端子Ｔｐ６及び起動状態検出端子Ｔｐ７と同様に、プルアップ抵抗が設けられている。
【００９０】
電源端子Ｔｐ１１は、アクセサリー電源制御部３３の第１端子に接続されている。電源端子Ｔｐ１２は、電源端子Ｔｐ１１と並列に、アクセサリー電源制御部３３の第１端子に接続されている。アクセサリー電源制御部３３の第２端子は、電源線４０を介して、電池ＢＡＴの正極に接続されている。アクセサリー電源制御部３３は、その制御端子にカメラ制御部１７０から入力される制御信号によって、電池ＢＡＴから電源端子Ｔｐ１１と電源端子Ｔｐ１２への電力供給を遮断することができる。
【００９１】
次に、図７を参照して、アクセサリー４００側の構成について説明する。本実施形態のアクセサリー４００は、カメラ１０から供給される電力ＰＷＲによって動作する。アクセサリー４００は、アクセサリー４００において消費される電力を供給する電源がアクセサリー４００側に搭載されていない場合に、カメラ１０から供給される電力ＰＷＲによってアクセサリー４００の各構成要素を機能させることができる。
【００９２】
アクセサリー４００は、閃光発光部４３０、照明光発光部４３５、アクセサリー制御部４４０、不揮発性メモリー４４５、第１電源部（電源部１）４５０−１、第２電源部（電源部２）４５０−２、第２パイロットランプ４６０、第１パイロットランプ４５５、第１スイッチ部４６５、第２スイッチ部４７０、及び機能拡張設定部（ＥＸＳＷ）４８５を備える。本アクセサリー４００は、電池を内蔵できないものとする。
【００９３】
閃光発光部４３０は、閃光光源４３１及び充電部４３２を備える。閃光光源４３１は、キセノン管など周知の閃光照明光源を備える。
【００９４】
充電部４３２は、カメラボディ１００から供給された電圧を昇圧する昇圧回路部（昇圧部とも称す）と、その昇圧回路部で昇圧された電圧に基づいて閃光光源４３１を発光させるのに必要な電力を蓄積可能な蓄積回路部（蓄積部／コンデンサ／又はキャパシタ）とを備える。充電部４３２は、蓄積部（蓄積回路部）に蓄積された電力を閃光光源４３１に供給することによって、閃光光源４３１を発光させる。
【００９５】
充電部４３２は、アクセサリー制御部４４０から供給される信号に従って、充電部４３２の蓄積部への充電を開始又は停止する。充電部４３２は、蓄積部を充電する充電処理中に蓄積部の電極間の電圧（充電電圧）を検出することによって、蓄積部が蓄積している充電量（蓄電量、電荷量）を検出することができる。充電部４３２は、検出した蓄積部の充電量を示す情報をアクセサリー制御部４４０に供給する。
【００９６】
なお、充電部４３２は、周知の発光制御回路（例えば周知のＩＧＢＴのように発光の開始・停止を制御する回路）を備えており、アクセサリー制御部４４０から入力された信号に従って、閃光光源４３１を撮影タイミングに同期させて発光させること、及び閃光光源４３１の発光量を制御することができる。
【００９７】
照明光発光部４３５は、照明光光源駆動部４３６及び照明光光源４３７を備える。本実施形態の照明光光源４３７は、連続照明光を発光可能な発光ダイオード（ＬＥＤ）等の固体光源を備える。照明光光源駆動部４３６は、照明光光源４３７に電流を供給することによって、照明光光源４３７を発光させる。もちろん照明光光源４３７は、照明光光源駆動部４３６によって間欠的に電流が供給されることにより、連続照明光ばかりでなく照明光を間欠的に発光することも可能である。照明光光源駆動部４３６は、アクセサリー制御部４４０の制御により、照明光光源４３７を撮影タイミングに同期させて発光させる。照明光光源駆動部４３６は、アクセサリー制御部４４０から入力された信号に従って、照明光光源４３７を発光させる時間（点灯時間）を制御する。
【００９８】
なお、不図示ではあるが、アクセサリー４００は、閃光発光部４３０の電源線４８１に対する電気的な導通状態（ＯＮ／ＯＦＦ）を切り替える第１導通スイッチと、照明光発光部４３５の電源線４８１に対する電気的な導通状態（ＯＮ／ＯＦＦ）を切り替える第２導通スイッチとを備えている。これら第１、第２導通スイッチは、アクセサリー制御部４４０によって制御される。よって、カメラシステム１が発光部４２５を機能させて撮像を行う場合において、アクセサリー４００は、アクセサリー制御部４４０の第１、第２導通スイッチ及び閃光発光部４３０並びに照明光発光部４３５への制御によって、閃光発光部４３０又は照明光発光部４３５から択一的に、あるいは両発光部から光を発することができる。
【００９９】
本実施形態において、閃光発光部４３０の最大の発光量は、照明光発光部４３５の最大の発光量よりも多い。閃光発光部４３０は、例えば静止画の撮像時に点灯され、照明光発光部４３５の点灯時よりも被写体を明るく照らすことができる。本実施形態において、照明光発光部４３５の最長の点灯時間（最長点灯時間）は、閃光発光部４３０の最長の点灯時間よりも長い。照明光発光部４３５は、例えば動画の撮像時に点灯され、閃光発光部４３０の点灯時間よりも被写体を長時間にわたって照らすことができる。
【０１００】
本実施形態において、閃光発光部４３０が発する光を閃光と称し、閃光発光部４３０が閃光を発する機能を閃光発光機能と称すことがある。また、照明光発光部４３５が発する光を照明光と称し、照明光発光部４３５が照明光を発する機能を照明発光機能と称すことがある。
【０１０１】
本実施形態において、第１パイロットランプ４５５及び第２パイロットランプ４６０は、それぞれ、ＬＥＤ等の固体光源を備える。第１パイロットランプ４５５は、アクセサリー制御部４４０の制御によって、閃光発光部４３０の状態に応じて点灯する。例えば、閃光発光部４３０を発光可能な状態（電荷蓄積部への充電が完了した状態）にある場合に、アクセサリー制御部４４０は、第１パイロットランプ４５５を点灯する。また閃光発光部４３０を発光できない状態にある場合（電荷蓄積部の充電量が不十分な場合）に、アクセサリー制御部４４０は、第１パイロットランプ４５５を消灯する。第２パイロットランプ４６０は、第１パイロットランプ４５５と同様に、アクセサリー制御部４４０によって、照明光発光部４３５が点灯可能な状態（上述の第２導通スイッチがＯＮ状態）にあるか否かに応じて点灯又は消灯する。
【０１０２】
本実施形態において、第１スイッチ部４６５（ＭＳＷ）は、既述した係止爪４２２（図４参照）に機械的に連動している。第１スイッチ部４６５は、係止爪４２２が所定の方向（Ｚ軸方向）に移動することによって、回路を閉路又は遮断する。第１スイッチ部４６５は、係止爪４２２の先端がコネクター４２０の底部４２１から予め設定される所定の距離以上に突出している場合に、回路を閉路する。すなわち、第１スイッチ部４６５は、アクセサリー４００がカメラ１０への装着が完了された場合に、回路を閉路する。その一方で第１スイッチ部４６５は、係止爪４２２がコネクター４２０の底部４２１に向って、予め設定される所定の移動量以上押込まれた場合に、回路を遮断する。
【０１０３】
本実施形態において、第２スイッチ部４７０（ＰＣＳＷ）は、既述した第２操作部４７１（図２参照）に機械的に連動している。第２スイッチ部４７０は、第２操作部４７１が操作されることによって、回路を閉路又は遮断する。
本実施形態において、機能拡張設定部４８５（ＥＸＳＷ、第１設定部）は、アクセサリー４００の種類を示す機能拡張設定信号Ｏｐを生成して出力する。例えば、機能拡張設定部４８５（ＥＸＳＷ）が生成する機能拡張設定信号Ｏｐにおいて、アクセサリー４００、変換装置７００、表示装置９００を識別できるようにする。アクセサリー４００は、カメラ１０からの給電を必要とするアクセサリー（照明装置）である。変換装置７００は、カメラ１０からの給電を必要としないアクセサリーである。表示装置９００は、カメラ１０からの給電を必要とするアクセサリーであり、カメラ１０から供給される信号が、アクセサリー４００と変換装置７００と異なるアクセサリーである。このように、カメラ１０は、アクセサリーの種類によって、電力の供給の有無を切り替えたり、供給する制御信号の割り当てを変更したりすることが必要とされる。
【０１０４】
そこで、機能拡張設定部４８５（ＥＸＳＷ）は、アクセサリーの種類に応じた機能拡張設定信号Ｏｐを生成して、カメラ１０に供給する。例えば、アクセサリー４００に設けられる機能拡張設定部４８５（ＥＸＳＷ）は、アクセサリーの種類が、カメラ１０からの給電を必要とするアクセサリー（照明装置）であることを示す機能拡張設定信号Ｏｐを生成して出力する。或は、変換装置７００に設けられる機能拡張設定部４８５（ＥＸＳＷ）は、アクセサリーの種類が、カメラ１０からの給電を必要としないアクセサリーであることを示す機能拡張設定信号Ｏｐを生成して出力する。或は、表示装置９００に設けられる機能拡張設定部４８５（ＥＸＳＷ）は、アクセサリーの種類が、カメラ１０からの給電を必要とするアクセサリーであり、カメラ１０から供給される信号が、アクセサリー４００と変換装置７００と異なるアクセサリーであることを示す機能拡張設定信号Ｏｐを生成して出力する。
【０１０５】
例えば、機能拡張設定信号Ｏｐを、上記の３種類のアクセサリーの種類を電圧レベルによって区別する信号として定義する。このように機能拡張設定信号Ｏｐを定義することによって、２つの閾値電圧を設定し、電圧レベルを３段階に分けて判定することにより、上記の３種類のアクセサリーを区別することができる。例えば、機能拡張設定信号Ｏｐの検出レベル（Ｖ）が、閾値電圧Ｖｔｈ１以上の場合（Ｖｔｈ１≦Ｖ）を、カメラ１０からの給電を必要とするアクセサリー４００に対応付ける。また、機能拡張設定信号Ｏｐの検出レベル（Ｖ）が、閾値電圧Ｖｔｈ２以上、且つ閾値電圧Ｖｔｈ１未満の場合（Ｖｔｈ２≦Ｖ＜Ｖｔｈ１）を、カメラ１０からの給電を必要とする表示装置９００に対応付ける。さらに、機能拡張設定信号Ｏｐの検出レベル（Ｖ）が、閾値電圧Ｖｔｈ２未満の場合（Ｖ＜Ｖｔｈ２）を、カメラ１０からの給電を必要としない変換装置７００に対応付ける。
なお、機能拡張設定信号Ｏｐの信号レベル（Ｖ）を、閾値電圧Ｖｔｈ１以上になるように生成する場合（Ｖｔｈ１≦Ｖ）には、例えば、アクセサリー４００における機能拡張設定部４８５（ＥＸＳＷ）は、プルアップ信号レベル又はハイインピーダンス状態にした機能拡張設定信号Ｏｐとして生成してもよい。機能拡張設定信号Ｏｐは、カメラ１０内において、プルアップされていることから、機能拡張設定部４８５（ＥＸＳＷ）側で、信号レベルを低下させる構成がない限り、機能拡張設定信号Ｏｐの信号レベル（Ｖ）が閾値電圧Ｖｔｈ１以上である（Ｖｔｈ１≦Ｖ）と判定される。
【０１０６】
第１電源部（電源部１）４５０−１は、カメラ１０から供給された電力の電圧を安定化（定電圧制御）する定電圧回路を備える。第１電源部４５０−１は、定電圧回路によって電圧が安定化された電力を、第２電源部（電源部２）４５０−２及び照明光発光部４３５へ供給することができる。第１電源部４５０−１は、基準電位線４８０（ＳＧＮＤ）に接続されている。第２電源部４５０−２は、第１電源部４５０−１から供給された電力から、アクセサリー制御部４４０用の電力を生成する。第２電源部４５０−２も、基準電位線４８０（ＳＧＮＤ）に接続されている。
【０１０７】
記憶部４４４は、不揮発性メモリー４４５を備える。不揮発性メモリー４４５は、アクセサリー４００に電力が供給されない状態でも情報を保持しておくことができる。不揮発性メモリー４４５は、記憶しているデータを書き換え可能なメモリーと、記憶しているデータを書き換え不能なメモリー（例えばＲＯＭ）の少なくとも一方を含む。不揮発性メモリー４４５は、アクセサリー制御部４４０を動作させるプログラムや、アクセサリー４００の状態（初期状態及び、アクセサリー制御部４４０内のメモリーに現在設定されている様々なアクセサリーの設定状態）を示す情報、カメラ１０から取得したカメラの状態（初期状態及び設定状態）を示す情報等の情報を記憶する。
【０１０８】
アクセサリー制御部４４０は、不揮発性メモリー４４５に記憶されたプログラムに基づいてアクセサリー４００の構成要素の動作を制御するＣＰＵと、ＡＳＩＣ等の電子部品とを備える。アクセサリー制御部４４０は、端子部４２３及び端子部２５を介して、カメラ制御部１７０と通信する。アクセサリー制御部４４０は、記憶部４４４に記憶されているアクセサリー初期状態情報又はアクセサリー設定状態情報に含まれる各種の情報のうちの少なくとも１つの情報を、カメラ制御部１７０へ送ることができる。また、アクセサリー制御部４４０は、カメラ制御部１７０から受信した情報を、記憶部４４４に記憶させる。
【０１０９】
アクセサリー初期状態情報は、アクセサリー４００の種類を示すアクセサリー種類情報を含む。アクセサリー種類情報は、アクセサリー４００に電池が搭載されているか否かを示す電池有無情報、アクセサリー４００が有する各機能の種類を示す機能種類情報、及びアクセサリー４００が有する各機能の特性を示す特性情報を含む。機能種類情報は、閃光発光機能の有無を示す情報、照明発光機能の有無を示す情報、及び拡張機能の有無を示す情報を含む。拡張機能は、閃光発光機能と照明発光機能のいずれにも該当しない他の機能であり、例えば多灯コマンダ機能、ＧＰＳ（Ｇｌｏｂａｌ  Ｐｏｓｉｔｉｏｎｉｎｇ  Ｓｙｓｔｅｍ）機能、カメラボディ１００以外の装置との通信機能等である。閃光発光機能の特性情報は、閃光発光部４３０の発光特性を示す情報（プロファイル情報）を含む。照明発光機能の特性情報は、照明光発光部４３５の発光特性を示す情報（照明プロファイル情報）、及び照明光発光部４３５が連続して発光可能な最長の時間（最長点灯時間）を示す情報を含む。
【０１１０】
アクセサリー設定状態情報は、閃光発光機能がオン状態（有効）とオフ状態（無効）のいずれの状態であるかを示す情報、及び照明発光機能がオン状態（有効）とオフ状態（無効）のいずれの状態であるかを示す情報を含む。
【０１１１】
アクセサリー制御部４４０は、カメラ制御部１７０から供給された制御信号に基づいて、アクセサリー４００の構成要素を制御する。アクセサリー制御部４４０は、カメラ制御部１７０から供給された発光制御信号Ｘに従って、閃光発光部４３０又は照明光発光部４３５を発光させる発光制御を行う。閃光発光部４３０を発光させる発光制御において、アクセサリー制御部４４０は、閃光光源４３１がカメラ側の撮影タイミングと同期して発光するように、充電部４３２を制御する。照明光発光部４３５を発光させる発光制御において、アクセサリー制御部４４０は、照明光光源４３７が撮影タイミングと同期して発光するように、照明光光源駆動部４３６を制御する。
【０１１２】
また、本実施形態のアクセサリー４００は、充電部４３２の蓄積部（電荷蓄積部）を充電するための電源（電池）を具備（内蔵）しておらず、カメラ１０から供給される電力により充電を行う。アクセサリー制御部４４０は、初期化処理の段階で、カメラ制御部１７０からの給電を必要とする照明装置であることを、カメラ制御部１７０に対してアクセサリー４００から通知する。その後、アクセサリー制御部４４０は、カメラ制御部１７０から、蓄積部（電荷蓄積部）への充電開始を指示する指令（以下、「充電指令」という）を受信すると、充電部４３２に蓄積部（電荷蓄積部）への充電を開始させる。
【０１１３】
次に、アクセサリー４００の端子部４２３について説明する。図５及び図７に示したように、端子部４２３は、アクセサリー４００がカメラ１０に装着されている場合に、カメラ１０の端子部２５と電気的に接続される。端子部４２３は、符号Ｔｓ１から符号Ｔｓ１２で示される複数（１２個）の端子を含む。ここでは、次に説明する端子の並び順を示す番号は、端子の配列方向（Ｘ軸方向）の一方側（＋Ｘ側）から他方側（−Ｘ側）に向って昇順する番号であるものとする。
【０１１４】
なお、これら複数の端子Ｔｓ１〜Ｔｓ１２は、それぞれ、カメラに装着される方向とほぼ平行な方向（＋Ｙ方向）に延びた線形状（ライン形状）の部分を含む（図５参照）。そして、これらライン形状の先端部近傍（＋Ｙ方向側）に形成された接触部（図８（Ｂ）において端子Ｔｐ７と接触している部分）おいて、カメラ側の対応する各端子（Ｔｐ１〜Ｔｐ１２）に物理的に接触して且つ電気的接続するように形成されている（図８（Ｂ）に示した端子Ｔｓ７と端子Ｔｐ７間の接触構造を参照）。これらの端子Ｔｓ１〜Ｔｓ１２は、それぞれ、先端部近傍に形成された接触部が、図中の−Ｚ方向(カメラ側の対応する各接点に対して押し付けられる方向)に付勢される板バネ構造となっている。
【０１１５】
端子部４２３における各端子の機能は、次のように割り付けられる。ここで、この端子部４２３の各端子Ｔｓ１〜Ｔｓ１２は、図３，４にて既述したカメラ１０側の端子部２５の各端子（Ｔｐ１〜Ｔｐ１２）に対応して設けられているものである。そして端子部４２３の各端子の機能についても、上述した端子部２５の各端子の機能と対応付けられるものである。このため本実施形態の説明では、上記にて端子部２５に関して既述した説明との重複を避けるため、各端子の端子番号１〜１２について、カメラ側の端子部２５の各端子と対応する端子の端子番号を同じ番号で記載することで、各端子の機能や配置について重複する内容については、その説明を簡略化または割愛する。
【０１１６】
端子部４２３において、電源端子Ｔｓ１１と電源端子Ｔｓ１２はそれぞれ、カメラ１０から電力ＰＷＲが供給される端子である。接地端子Ｔｓ１と接地端子Ｔｓ２は、電源端子Ｔｓ１１及び電源端子Ｔｓ１２に対応する接地端子であり、電位が電力ＰＷＲの基準電位（グランド）になる端子である。
【０１１７】
基準電位端子Ｔｓ３と基準電位端子Ｔｓ５はそれぞれ、電位が信号の授受を行うための基準電位（シグナルグランド）になる端子である。
【０１１８】
同期信号端子Ｔｓ４は、通信用クロック信号である同期信号（クロック信号）ＣＬＫをカメラ１０に対して出力する端子である。
【０１１９】
通信信号端子Ｔｓ６は、既述したようなカメラ側の通信データを含む通信信号ＤＡＴＡがカメラ１０側から入力されたり、或いはアクセサリー側の通信信号ＤＡＴＡをカメラ１０に対して出力したりする端子である。
【０１２０】
起動状態提供端子Ｔｓ７は、既述の起動検出レベルＤＥＴ（Ｌレベル／ＳＧＮＤによる基準電位）をカメラ１０に提供する端子である。
【０１２１】
発光制御信号端子Ｔｓ８は、既述の発光制御信号（発光指令信号）Ｘがカメラ１０から入力される端子である。
【０１２２】
通信制御信号端子Ｔｓ９は、既述の通信制御信号（通信起動信号）Ｃｓがカメラ１０から入力される端子である。
【０１２３】
機能拡張設定端子Ｔｓ１０は、既述の機能拡張設定信号Ｏｐをカメラ１０に提供する端子である。
【０１２４】
これら１２個の端子Ｔｓ１〜Ｔｓ１２についての各端子の配列については、既述した端子部２５の各端子Ｔｐ１〜Ｔｐ１２にそれぞれ呼応するものであり、簡略的に説明する。
【０１２５】
電源端子Ｔｓ１１及び電源端子Ｔｓ１２は、端子部４２３の端子配列において、一方の端部に寄せて配置されている。接地端子Ｔｓ１及び接地端子Ｔｓ２は、端子部４２３の端子配列において、他方の端部（電源端子Ｔｓ１１及び電源端子Ｔｓ１２の配置側とは反対側の端部）に寄せて配置されている。
【０１２６】
機能拡張設定端子Ｔｓ１０は、端子部４２３の端子配列において、電源端子Ｔｓ１１と、通信制御信号端子Ｔｓ９との間に配置されている。
【０１２７】
発光制御信号端子Ｔｓ８は、起動状態提供端子Ｔｓ７の隣に配置されており、且つ起動状態提供端子Ｔｓ７と通信制御信号端子Ｔｓ９との間に挟まれるように配置されている。
【０１２８】
通信信号端子Ｔｓ６は、起動状態提供端子Ｔｓ７の隣に配置されている。よって起動状態提供端子Ｔｓ７は、通信信号端子Ｔｓ６と発光制御信号端子Ｔｓ８とに挟まれるように、配置されている。
【０１２９】
基準電位端子Ｔｓ５は、通信信号端子Ｔｓ６の隣に配置されている。よって通信信号端子Ｔｓ６は、基準電位端子Ｔｓ５と起動状態提供端子Ｔｓ７とに挟まれるように配置されている。
【０１３０】
同期信号端子Ｔｓ４は、基準電位端子Ｔｓ５の隣に配置されている。また、基準電位端子Ｔｓ３は、同期信号端子Ｔｓ４の隣に配置されている。よって同期信号端子Ｔｓ４は、基準電位端子Ｔｓ３と基準電位端子Ｔｓ５とに挟まれるように配置されている。
基準電位端子Ｔｓ３の、同期信号端子Ｔｓ４とは反対側の隣には接地端子Ｔｓ２が配置されている。
【０１３１】
次に、図７を参照して、アクセサリー４００における各構成要素の接続関係について説明する。
【０１３２】
接地端子Ｔｓ１と接地端子Ｔｓ２は、図７に示す接続パターンを介して接続されている。これら接地端子Ｔｓ１と接地端子Ｔｓ２は、アクセサリー４００がカメラ１０に接続されると、カメラ１０側の端子Ｔｐ１，Ｔｐ２を介して、カメラ１０側の接地線４３に接続される。この接地端子Ｔｓ１及び接地端子Ｔｓ２は、アクセサリー４００側の、電力ＰＷＲを利用する回路（充電部４３２）用の接地端子であり、アクセサリー４００側において、供給される電圧の基準電位となる端子であり、また充電電圧の基準電位となる端子である。
【０１３３】
電源端子Ｔｓ１１は、電源線４８１に接続されている。電源端子Ｔｓ１２は、電源端子Ｔｓ１１と並列に、電源線４８１に接続されている。この電源線４８１は、２つの電源端子（電源端子Ｔｓ１１及びＴｓ１２）を介してカメラ１０から供給された大電流を流せるよう、回路基板上において比較的太い配線パターン（Ｔｓ１１に直接接続している配線パターンの線幅と、Ｔｓ１２に直接接続している配線パターンの線幅とを足し合わせた線幅以上の線幅を持つ配線パターン）にする。なお、カメラ１０側のアクセサリー電源制御部３３に接続している配線パターンも、アクセサリー４００側と同様に、比較的太い配線パターンにする。
【０１３４】
基準電位端子Ｔｓ３と基準電位端子Ｔｓ５は、図７に示すように接続用ラインを介して接続されている。そしてこれら基準電位端子Ｔｓ３と基準電位端子Ｔｓ５は、基準電位線４８０（ＳＧＮＤ）に並列に接続されている。この基準電位線４８０は、アクセサリー４００がカメラ１０に接続されると、基準電位端子Ｔｓ３及びＴｓ５と、カメラ１０側の端子Ｔｐ３及びＴｐ５とを介して、カメラ１０側の接地線（ＳＧＮＤ）４２に接続される。この基準電位端子Ｔｓ３、基準電位端子Ｔｓ５は、アクセサリー４００内の各回路（ＭＳＷ４６５、ＰＣＳＷ４７０、不揮発性メモリー４４５、第１電源部４５０−１、第２電源部４５０−２、アクセサリー制御部４４０、照明光発光部４３５）において、信号の授受を行うための基準電位となる端子である。
【０１３５】
なお、この基準電位線４８０（ＳＧＮＤ）に対しては、接地端子Ｔｓ１と接地端子Ｔｓ２も、接続ライン４９０を介して並列に接続されている。ただし接地端子Ｔｓ１と接地端子Ｔｓ２に接続している接続ライン（接続ライン４９０と接続しているライン）は、接続ライン４９０及び基準電位端子Ｔｓ３，Ｔｓ５に接続しているラインよりも抵抗（インピーダンス）が低いラインになっている。このため充電部４３２を流れた大電流はＳＧＮＤライン（基準電位端子Ｔｓ３，Ｔｓ５）には流れないようになっている。
【０１３６】
なお、基準電位線４８０を流れる電流は、接続ライン４９０を介して接地端子Ｔｓ１，Ｔｓ２に流れるようになっており、接地端子Ｔｓ１，Ｔｓ２はアクセサリー４００内の上記各回路に供給される電圧の基準となり得る。また、本実施形態のアクセサリー４００のグランドは、いわゆる一点グランド（一点アース）を採用している。
【０１３７】
起動状態提供端子Ｔｓ７は、信号線を介して、第１スイッチ部４６５におけるスイッチ４６６（図８（Ｂ）に示す）の第１端子に接続されている。第１スイッチ部４６５におけるスイッチ４６６の第２端子は、第２スイッチ部４７０におけるスイッチ４７２（図８（Ｂ）に示す）第１端子に接続されている。第２スイッチ部４７０におけるスイッチ４７２の第２端子は、基準電位線４８０に接続されている。このように、第２スイッチ部４７０は、起動状態提供端子Ｔｓ７に接続された信号線に対して、第１スイッチ部４６５と直列に接続されている。
【０１３８】
同期信号端子Ｔｓ４は、信号線を介して、アクセサリー制御部４４０に接続されている。通信信号端子Ｔｓ６は、信号線を介して、アクセサリー制御部４４０に接続されている。通信信号端子Ｔｓ６に接続している信号線にはプルアップ抵抗が設けられている。このプルアップ抵抗は第２電源部４５０−２の出力側に電気的に接続されている。このため通信信号端子Ｔｓ６における電位（レベル）は、カメラ１０への装着前及びカメラ１０との通信開始前にＨレベルに維持される。
【０１３９】
通信制御信号端子Ｔｓ９は、信号線を介して、アクセサリー制御部４４０に接続されている。通信制御信号端子Ｔｓ９に接続している信号線にはプルアップ抵抗が設けられている。このプルアップ抵抗は第２電源部４５０−２の出力側に電気的に接続されている。よって通信信号端子Ｔｓ６における電位（レベル）は、カメラ１０への装着前及びカメラ１０との通信開始前にＨレベルに維持される。
【０１４０】
発光制御信号端子Ｔｓ８は、信号線を介して、アクセサリー制御部４４０に接続されている。発光制御信号端子Ｔｓ８に接続している信号線にはプルアップ抵抗が設けられている。このプルアップ抵抗は第２電源部４５０−２の出力側に電気的に接続されている。よって通信信号端子Ｔｓ６における電位（レベル）は、カメラ１０への装着前及びカメラ１０との通信開始前にＨレベルに維持される。
【０１４１】
機能拡張設定端子Ｔｓ１０は、信号線を介して、機能拡張設定部４８５の一端に接続されている。機能拡張設定部４８５の他端が、基準電位線４８０に接続されている。
【０１４２】
閃光発光部４３０の閃光光源４３１における主放電用の第１の電極は充電部４３２に接続されている。主放電用の第２の電極は電源線４８１に接続されている。充電部４３２の電源端子は、電源線４８１に接続されている。充電部４３２の接地端子は、接地端子Ｔｓ１に接続する接地線に接続されている。
【０１４３】
照明光光源駆動部４３６の電源端子は、第１電源部４５０−１に接続されている。照明光光源駆動部４３６の接地端子は、基準電位線４８０に接続されている。照明光光源駆動部４３６の制御端子は、信号線を介して、アクセサリー制御部４４０に接続されている。
照明光光源４３７は、固体光源のアノードが照明光光源駆動部４３６に接続され、固体光源のカソードが、基準電位線４８０に接続されている。
【０１４４】
第１パイロットランプ４５５及び第２パイロットランプ４６０は、それぞれ、一端が第２電源部（電源部２）４５０−２の出力側に電気的に接続されている。第１パイロットランプ４５５の他端は、信号線を介してアクセサリー制御部４４０に接続されている。第２パイロットランプ４６０の他端は、第１パイロットランプ４５５とは異なる信号線を介して、アクセサリー制御部４４０に接続されている。
【０１４５】
第１電源部（電源部１）４５０−１の入力端子は、電源線４８１に接続されている。第１電源部４５０−１の接地端子は、基準電位線４８０に接続されている。第１電源部４５０−１の出力端子は、第２電源部（電源部２）４５０−２の入力端子と、照明光光源駆動部４３６とに接続されている。第２電源部４５０−２の出力端子は、アクセサリー制御部４４０の電源端子に接続されている。第２電源部４５０−２の接地端子は、基準電位線４８０に接続されている。
【０１４６】
次に、カメラ１０とアクセサリー４００との接続関係について説明する。アクセサリー４００がカメラ１０に装着されている状態（以下、装着状態という）において、接地端子Ｔｓ１は、カメラ１０の接地端子Ｔｐ１に接続される。接地端子Ｔｓ２は、装着状態において、カメラ１０の接地端子Ｔｐ２に接続される。そしてこれらアクセサリー４００側の接地端子Ｔｓ１，Ｔｓ２に接続している箇所（充電部４３２の接地端子）は、装着状態において、接地端子Ｔｐ１及び接地端子Ｔｓ１を介した経路と、接地端子Ｔｐ２及び接地端子Ｔｓ２を介した経路との少なくとも一方の経路を介して、接地線４３に接続されて電池ＢＡＴの負極に接続される。そのため、接地端子Ｔｓ１、Ｔｓ２及びそれらに接続している箇所の電位は、装着状態において、電池ＢＡＴの負極の電位に応じた基準電位になる。
【０１４７】
電源端子Ｔｓ１１は、装着状態において、カメラ１０の電源端子Ｔｐ１１に接続される。電源端子Ｔｓ１２は、装着状態において、カメラ１０の電源端子Ｔｐ１２に接続される。アクセサリー電源制御部３３は、装着状態において、電源端子Ｔｐ１１及び電源端子Ｔｓ１１を介した経路と、電源端子Ｔｐ１２及び電源端子Ｔｓ１２を介した経路との少なくとも一方の経路を介して、電源線４８１に接続される。そのため、アクセサリー電源制御部３３は、カメラ制御部１７０の制御に従って、電池ＢＡＴからアクセサリー電源制御部３３に供給された電力ＰＷＲを、電源線４８１を介してアクセサリー４００内の各回路や電気部品に供給することができる。
【０１４８】
基準電位端子Ｔｓ３は、装着状態において、カメラ１０の基準電位端子Ｔｐ３に接続される。基準電位端子Ｔｓ５は、装着状態において、カメラ１０の基準電位端子Ｔｐ５に接続される。基準電位端子Ｔｓ３の電位は、装着状態において、基準電位端子Ｔｐ３の電位（基準電位）になる。基準電位端子Ｔｓ５の電位は、装着状態において、基準電位端子Ｔｐ５の電位（基準電位）になる。
【０１４９】
図４に示したように、接地端子Ｔｐ１と接地端子Ｔｐ２と基準電位端子Ｔｐ３は、スライド移動方向（＋Ｙ軸方向）の寸法が他の端子よりも長い。そのため、本実施形態においてカメラ１０にアクセサリー４００を装着する際に、接地端子Ｔｐ１と接地端子Ｔｐ２と基準電位端子Ｔｐ３の３つの端子は、他の端子よりも先にアクセサリー４００の端子部４２３の対応する各端子（接地端子Ｔｓ１、接地端子Ｔｓ２、基準電位端子Ｔｓ３）と接触する。
【０１５０】
起動状態提供端子Ｔｓ７は、アクセサリー４００がカメラ１０に装着された状態であって、かつ第２スイッチ部４７０が回路を閉路している状態（オン状態）において、基準電位線４８０を介して、接地線４２に接続される。そのため、カメラ制御部１７０は、第２スイッチ部４７０がオン状態で且つカメラ１０に接続されている状態（以下、第１状態と称す）であるときに、第１状態であることを示す起動検出レベルＤＥＴ（ＳＧＮＤレベル／基準電位レベル／Ｌｏｗレベル／Ｌレベル）を、起動状態提供端子Ｔｓ７及び起動状態検出端子Ｔｐ７を介して検出することができる。また、カメラ制御部１７０は、下記の第２状態であるときに、第１状態とは電気的にレベルが異なる起動検出レベルＤＥＴを検出することができる。第２状態は、第２スイッチ部４７０がオフ状態で且つカメラ１０に装着されている状態と、アクセサリー４００がカメラ１０に装着されていない状態とのいずれかの状態を含む。
【０１５１】
機能拡張設定端子Ｔｓ１０は、装着状態において、カメラ１０の機能拡張設定端子Ｔｐ１０に接続される。すなわち、アクセサリー制御部４４０は、装着状態において、機能拡張設定端子Ｔｐ１０及び機能拡張設定端子Ｔｓ１０を介して、カメラ制御部１７０に接続される。これにより、アクセサリー４００は、アクセサリー４００の種類を識別する機能拡張設定信号Ｏｐを、機能拡張設定端子Ｔｐ１０及び機能拡張設定端子Ｔｓ１０を介してカメラ制御部１７０に対して提供することができる。ここで、アクセサリーの種類が、カメラ１０からの給電を必要とするアクセサリー（アクセサリー４００、照明装置）であることにより、アクセサリー４００の種類を識別する機能拡張設定信号Ｏｐがカメラ制御部１７０に対して提供される。
なお、機能拡張設定端子Ｔｓ１０に提供される機能拡張設定信号Ｏｐは、アクセサリーの種類に応じた信号となる。
【０１５２】
同期信号端子Ｔｓ４は、装着状態において、カメラ１０の同期信号端子Ｔｐ４に接続される。すなわち、アクセサリー制御部４４０は、装着状態において、同期信号端子Ｔｐ４及び同期信号端子Ｔｓ４を介して、カメラ制御部１７０に接続される。これにより、アクセサリー制御部４４０は、カメラ制御部１７０と同期通信を行うための同期信号ＣＬＫを、同期信号端子Ｔｓ４及び同期信号端子Ｔｐ４を介して、カメラ制御部１７０へ送信することができる。また、カメラ制御部１７０は、アクセサリー４００に下記のモニタ発光を実行させるモニタ発光制御信号を、同期信号端子Ｔｓ４及び同期信号端子Ｔｐ４を介して、アクセサリー制御部４４０へ送信することができる。
【０１５３】
なお、モニタ発光は、本撮像に用いる本発光よりも前に行われる発光である。モニタ発光による撮像（モニタ撮像）の結果は、オートホワイトバランス（ＡＷＢ）制御等のようなホワイトバランスの調整と、オート露光（ＡＥ）制御等のような露光制御の少なくとも一方に用いられる。
【０１５４】
通信信号端子Ｔｓ６は、装着状態において、カメラ１０の通信信号端子Ｔｐ６に接続される。すなわち、アクセサリー制御部４４０は、装着状態において、通信信号端子Ｔｐ６及び通信信号端子Ｔｓ６を介して、カメラ制御部１７０に接続される。そのため、カメラ制御部１７０とアクセサリー制御部４４０は、装着状態において、通信信号端子Ｔｐ６及び通信信号端子Ｔｓ６を介して、シリアルデータ通信を行うことができる。この通信信号端子Ｔｐ６及びＴｓ６はいずれも入力／出力機能を切り替え可能であり、これら両端子間における通信は、通信方向を切り替え可能な双方向通信である。通信信号ＤＡＴＡとして通信されるデータは次のようなものがある。カメラ１０側から出力されるデータとしては、カメラ制御部１７０がアクセサリー４００に処理を実行させる指令（コマンド）や、カメラ１０に関する情報（カメラデータ）などである。一方、アクセサリー４００側から出力されるデータとしては、アクセサリー４００に関する情報（アクセサリー情報）などである。本実施形態において、指令あるいは情報を示すデータを送信（又は受信）することを、単に指令あるいは情報を送信（又は受信）するということがある。なお、通信信号ＤＡＴＡは、カメラ制御部１７０が送信する場合とアクセサリー制御部４４０が送信する場合のいずれにおいても、アクセサリー４００側から出力される同期信号ＣＬＫに同期させて送信される。
【０１５５】
例えば、カメラ制御部１７０は、指定した項目の情報をカメラ制御部１７０からアクセサリー制御部４４０へ送信することを通知する送信通知コマンド（指令）を、アクセサリー制御部４４０に送信する。カメラ制御部１７０は、送信通知コマンドの送信終了後に、所定の時間間隔をあけて送信通知コマンドの送信に続いて、送信通知コマンドに指定された項目の情報をアクセサリー制御部４４０へ送信する。
【０１５６】
また、例えば、カメラ制御部１７０は、指定した情報をアクセサリー制御部４４０からカメラ制御部１７０へ送信することを要求する送信要求コマンドを、アクセサリー制御部４４０へ送信することができる。アクセサリー制御部４４０は、送信要求コマンドの受信完了後に、送信通知コマンドの受信に続いて、送信通知コマンドに指定された項目の情報をカメラ制御部１７０へ送信する。
【０１５７】
通信制御信号端子Ｔｓ９は、装着状態において、カメラ１０の通信制御信号端子Ｔｐ９に接続される。すなわち、アクセサリー制御部４４０は、装着状態において、通信制御信号端子Ｔｐ９及び通信制御信号端子Ｔｓ９を介して、カメラ制御部１７０に接続される。
そのため、カメラ制御部１７０は、通信制御信号端子Ｔｐ９及び通信制御信号端子Ｔｓ９を介して、アクセサリー制御部４４０へ通信制御信号Ｃｓを供給することができる。
【０１５８】
なお、アクセサリー４００側から上述の「充電要求」などの情報をカメラ１０側に送信したい場合には、アクセサリー制御部４４０は、上記の通信制御信号端子Ｔｓ９でカメラ１０側から受信した通信制御信号Ｃｓをきっかけとして開始される定常通信シーケンス（後述）において、カメラ制御部１７０に情報を送信する。
【０１５９】
この通信制御信号Ｃｓは、通信信号端子Ｔｓ６を介したカメラ１０とアクセサリー４００との間の通信の通信開始タイミングを定める信号である。アクセサリー４００側において、通信制御信号端子Ｔｓ９に接続している配線パターンにはプルアップ抵抗が接続されている。このため通信信号端子Ｔｓ６における通信制御信号Ｃｓの信号レベルは、通信開始前にＨレベルに維持される。通信制御信号Ｃｓの信号レベルは、通信信号端子Ｔｓ６を介したデータ通信を開始する際に、カメラ制御部１７０によってＬレベルに立ち下げられて維持される。通信制御信号Ｃｓの信号レベルがＬレベルに維持されている期間に、通信信号ＤＡＴＡとして複数ビットのデータが同期信号ＣＬＫに同期して送受信される。複数ビットのデータが送受信された後に、通信制御信号Ｃｓの信号レベルは、次回の通信信号ＤＡＴＡの送信までの期間において、再び上述のプルアップ抵抗によってＨレベルに維持される。このように、通信制御信号Ｃｓは、通信信号ＤＡＴＡ及び同期信号ＣＬＫと比較して、信号レベル（ＨレベルとＬレベルの）の単位時間あたりの切替わり回数が少ない信号である。
【０１６０】
発光制御信号端子Ｔｓ８は、装着状態において、カメラ１０の発光制御信号端子Ｔｐ８に接続される。すなわち、アクセサリー制御部４４０は、装着状態において、発光制御信号端子Ｔｐ８及び発光制御信号端子Ｔｓ８を介して、カメラ制御部１７０に接続される。
そのため、カメラ制御部１７０は、撮影タイミングと同期してアクセサリー４００に発光（本発光）を実行させる発光制御信号Ｘを、発光制御信号端子Ｔｓ８及び発光制御信号端子Ｔｐ８を介して、アクセサリー制御部４４０へ供給することができる。アクセサリー制御部４４０は、発光制御信号Ｘに従って、発光制御を行う。
【０１６１】
充電部４３２は、電源線４８１を介して供給される電力の電圧を昇圧する昇圧回路と、その昇圧回路で昇圧された電圧により充電される蓄積部（電荷蓄積部）とを備える。また、充電部４３２は、第１信号線を介して、アクセサリー制御部４４０に接続されている。
アクセサリー制御部４４０は、第１信号線を介して、充電部４３２を制御する信号を充電部４３２に供給することができる。充電部４３２は、第２信号線を介して、アクセサリー制御部４４０に接続されている。充電部４３２は、充電部４３２の充電量を示す情報を、第２信号線を介してアクセサリー制御部４４０に供給することができる。
【０１６２】
アクセサリー制御部４４０は、照明光光源駆動部４３６を制御する信号を、信号線を介して照明光光源駆動部４３６へ供給する。そのため、照明光光源４３７は、電源線４８１及び照明光光源駆動部４３６を介して供給される電力によって、発光することができる。
【０１６３】
第１パイロットランプ４５５及び第２パイロットランプ４６０は、それぞれ、アクセサリー制御部４４０から信号線を介して供給される制御信号によって、点灯状態が制御される。第１パイロットランプ４５５は、例えば、閃光発光部４３０の発光がアクセサリー制御部４４０に許可されている状態で、点灯する。第１パイロットランプ４５５は、例えば閃光発光部４３０を発光させることができない状態で、消灯する。第２パイロットランプ４６０は、第１パイロットランプ４５５と同様に、アクセサリー制御部４４０の制御によって、照明光発光部４３５の状態に応じて点灯又は消灯する。
【０１６４】
第１電源部４５０−１は、電源線４８１から供給される電力に基づいて、第１電源部４５０−１の入力端子に入力される電圧を安定化して後段の回路に供給する。第２電源部４５０−２は第１電源部４５０−１から供給される電力に基づいて、第２電源部４５０−２の入力端子に入力される電圧を安定化して後段の回路に供給する。
【０１６５】
次に、レベル切替部４７５について説明する。
【０１６６】
図８は、起動状態検出端子Ｔｐ７とカメラ制御部１７０との接続関係を模式的に示す図である。図８（Ａ）には、起動状態検出端子Ｔｐ７とカメラ制御部１７０との接続関係が、シュー座１５の断面図と関連付けて図示されている。図８（Ｂ）には、レベル切替部４７５の構成及び接続関係が、コネクター４２０の断面図と関連付けて図示されている。
【０１６７】
図８（Ａ）に示すように、カメラ制御部１７０に接続された起動状態検出端子Ｔｐ７には、プルアップ抵抗４８２を介して電圧が印加されている。起動状態検出端子Ｔｐ７がアクセサリー４００の起動状態提供端子Ｔｓ７に接続されていない状態で、起動状態検出端子Ｔｐ７の電位すなわち起動検出レベルＤＥＴは、Ｈ（ハイ）レベルになっている。Ｈレベルは、例えば、接地線４２の基準電位ＳＧＮＤよりも高電位に設定される。
【０１６８】
本実施形態のアクセサリー４００は、レベル切替部４７５を備える。図８（Ｂ）に示すように、レベル切替部４７５は、第１スイッチ部４６５、第２スイッチ部４７０、第１操作部４２４、及び第２操作部４７１を備える。
【０１６９】
第１スイッチ部４６５は、カメラボディ１００とアクセサリー４００との着脱に応じてその状態を切替える。第１スイッチ部４６５は、可動部材（係止爪４２２）、及び係止爪４２２の移動に連動するスイッチ４６６（電気スイッチ）を備える。係止爪４２２は、アクセサリー４００がカメラボディ１００に装着される際にカメラボディ１００から受ける力によって所定の方向（Ｚ軸方向の＋Ｚ側）に移動する。スイッチ４６６は、係止爪４２２の移動に連動して、回路を閉路又は遮断する。コネクター４２０がシュー座１５の所定の位置まで挿入されると、コネクター４２０の係止爪４２２がシュー座１５の係止孔２７内部に突出し、それにより第１スイッチ部４６５のスイッチ４６６が図８（Ｂ）の回路を閉路する。また、係止爪４２２は、アクセサリー４００がカメラボディ１００に装着されている場合に、カメラボディ１００に係止されることによって、カメラボディ１００に対するアクセサリー４００の移動を規制する。
【０１７０】
また、第１スイッチ部４６５は、第１操作部４２４に対して取外し操作（コネクター４２０をシュー座１５から取り外すための操作）がなされると、その操作により係止爪４２２がＺ軸方向に移動して係止孔２７の内部からアクセサリー本体４１０側に向って押込まれ、それによりスイッチ４６６が図８（Ｂ）の回路を遮断する（回路をオープンにする）。
【０１７１】
第２スイッチ部４７０は、ユーザーに操作されることによって起動検出レベルＤＥＴのレベルを切替える。第２スイッチ部４７０は、第２操作部４７１、及びスイッチ４７２（電気スイッチ）を備える。
【０１７２】
第２スイッチ部４７０は、ユーザーが第２操作部４７１に対して機能オン操作または機能オフ操作することに応じて、第２操作部４７１の移動に連動するスイッチ４７２によって図８（Ｂ）の回路を閉路（クローズ）又は遮断（オープン）する（機能オン操作でクローズ、機能オフ操作でオープン）。
【０１７３】
第１操作部４２４は、係止爪４２２を所定の方向に移動させるために、ユーザーによって操作される。第１操作部４２４は、ユーザーの操作により受ける力を係止爪４２２に伝えることによって、係止爪４２２を所定の方向（Ｚ軸方向）に移動させる。アクセサリー４００がカメラボディ１００に装着されている状態で第１操作部４２４が操作された場合に、係止爪４２２は、Ｚ軸方向に移動して係止孔２７の内側からアクセサリー本体４１０に向って退去する。これにより、アクセサリー４００は、カメラボディ１００に対する固定が解除され、カメラボディ１００から取り外すことが可能になるとともに、第１スイッチ部４６５が回路を遮断する。
【０１７４】
アクセサリー４００の起動状態提供端子Ｔｓ７は、スイッチ４６６が回路を閉路した状態であって、且つ、スイッチ４７２が回路を閉路した状態（「オン」の位置）である場合に、スイッチ４６６及びスイッチ４７２を介して、上述の基準電位線４８０に接続される。基準電位線４８０は、コネクター４２０がシュー座１５に接続された状態である場合には、既述の如くカメラボディ１００の接地線（ＳＧＮＤ／シグナルグランド）４２と電気的に接続されている。
【０１７５】
コネクター４２０がシュー座１５に接続された状態（装着状態）で、アクセサリー４００の起動状態提供端子Ｔｓ７がカメラボディ１００の接地線４２と電気的に接続され、起動状態提供端子Ｔｓ７の電位は、Ｌ（ロー）レベルになる。コネクター４２０がシュー座１５に接続された状態で、カメラボディ１００の起動状態検出端子Ｔｐ７の電位がアクセサリー４００の起動状態提供端子Ｔｓ７と短絡することによって、起動検出レベルＤＥＴはＬレベルになる。Ｌレベルは、接地線４２（基準電位ＳＧＮＤ）と同じ電位に設定される。起動検出レベルＤＥＴは、コネクター４２０がシュー座１５に接続された状態で第１操作部４２４が操作された場合には、第１スイッチ部４６５が回路を遮断するためＨレベルになる。また、起動検出レベルＤＥＴは、コネクター４２０がシュー座１５に接続された状態で第２スイッチ部４７０の第２操作部４７１が機能オフ操作された場合にも、スイッチ４７２が回路を遮断するためＨレベルになる。すなわち、アクセサリー４００がカメラ１０に装着されている場合において、第１操作部４２４に対してコネクター４２０をシュー座１５から取り外すための操作がなされても、或いは第２操作部４７１に対して機能オフ操作がなされても、そのいずれの操作の場合であっても起動検出レベルＤＥＴはＨレベルになる。
【０１７６】
ところで、一般的にカメラシステムは、アクセサリーあるいはカメラの端子部の端子間に埃等が付着して短絡が生じると、想定されていない電流が短絡した端子間に流れること等によって、カメラシステムが安定して動作しない可能性がある。また、カメラシステムは、カメラとアクセサリーとの間で端子を介して供給される信号がノイズの影響を受けることによって、安定して動作しなくなる可能性がある。カメラシステムは、例えば安定に動作しないことによりユーザーの操作に応答しなくなったり、応答が遅くなったりして、利便性が低下する可能性がある。
【０１７７】
これに対して、本実施形態のアクセサリー４００は、図５及び図７に示したように、端子部４２３の端子配列が以下のようになっている。カメラ１０から電力が供給される電源端子Ｔｓ１１及び電源端子Ｔｓ１２は、１１番目と１２番目とにそれぞれ配置されている。電源端子Ｔｓ１１及び電源端子Ｔｓ１２に対応する接地端子Ｔｓ１及び接地端子Ｔｓ２は、１番目と２番目とにそれぞれ配置されている。カメラ１０とアクセサリー４００との着脱に応じて変化する起動検出レベルＤＥＴをカメラ１０に出力する起動状態提供端子Ｔｓ７は、７番目に配置されている。閃光発光部４３０又は照明光発光部４３５の発光状態を制御する発光制御信号Ｘがカメラ１０から入力される発光制御信号端子Ｔｓ８は、８番目に配置されている。アクセサリー４００を制御する制御信号がカメラ１０と通信する通信信号ＤＡＴＡとして供給される通信信号端子Ｔｐ６は、６番目に配置されている。通信信号ＤＡＴＡに同期する同期信号ＣＬＫをカメラ１０に出力する同期信号端子Ｔｓ４は、４番目に配置されている。カメラ１０アクセサリー４００との通信の通信タイミングを定める通信制御信号Ｃｓがカメラ１０から入力される通信制御信号端子Ｔｓ９は、９番目に配置されている。基準電位端子Ｔｓ３及び基準電位端子Ｔｓ５は、電位が起動検出レベルＤＥＴ、通信信号ＤＡＴＡ、同期信号ＣＬＫ、発光制御信号Ｘ、及び通信制御信号Ｃｓの基準電位になり、３番目と５番目とにそれぞれ配置されている。
【０１７８】
すなわち、電源端子Ｔｓ１１及び電源端子Ｔｓ１２は、端子の配列方向の一方側に偏らせて配置されており、接地端子Ｔｓ１及び接地端子Ｔｓ２は、端子の配列方向の他方側に偏らせて配置されている。したがって、カメラシステム１は、電源端子（電源端子Ｔｓ１１及び電源端子Ｔｓ１２）と、接地端子（接地端子Ｔｓ１及び接地端子Ｔｓ２）とが大きく離間されているがゆえに両者間での短絡の発生が抑制され、電源端子と接地端子との短絡による応答停止等の不具合の発生を抑制することができ、電気的な安全性が保たれる。
また、アクセサリー４００は、アクセサリー４００の内部で電源端子Ｔｓ１１及び電源端子Ｔｓ１２に接続される電源線４８１、あるいは接地端子Ｔｓ１及び接地端子Ｔｓ２に接続される基準電位線４８０の設計の自由度が高くなる。また、複数端子の間に配置するのではなく、配列の端の方に寄せて配列することにより電源端子の多極化が容易になり、複数の電源端子を並べて設計することが可能となる。そしてその結果として、アクセサリー４００は、例えば電源線４８１や基準電位線４８０の幅を広くすることが容易になり、電源線４８１や基準電位線４８０を低抵抗にすること、電源線４８１や基準電位線４８０を介して大電力を供給されること等が可能になる。なお、本実施形態においては、上述のように低抵抗にできることから明らかなように、接点部分における発熱を抑えることができ、この結果、接点部分の発熱による変形などの不具合発生を抑制することができる。
【０１７９】
また、撮像に必要な情報を示す通信信号ＤＡＴＡが供給される通信信号端子Ｔｓ６は、基準電位が供給される基準電位端子Ｔｓ５と隣り合って配置されている。したがって、通信信号ＤＡＴＡは、基準電位端子Ｔｓ５に対して通信信号端子Ｔｓ６とは反対側からノイズを受けにくくなる。また、通信信号端子Ｔｓ６は、通信信号端子Ｔｓ６に対して基準電位端子Ｔｓ５とは反対側で起動状態提供端子Ｔｓ７と隣り合って配置されている。起動検出レベルＤＥＴは、カメラ１０とアクセサリー４００とが互いに通信可能な状態で、Ｌレベルに維持される。したがって、通信信号ＤＡＴＡは、カメラ１０とアクセサリー４００とが互いに通信可能な状態で、起動状態提供端子Ｔｓ７に対して通信信号端子Ｔｓ６とは反対側からノイズを受けにくくなる。このように、カメラシステム１は、通信信号ＤＡＴＡがノイズの影響を受けにくくなるので、通信上の安全性が保たれ通信信号ＤＡＴＡがノイズの影響を受けることによる誤動作等の不具合の発生を抑制することができる。
【０１８０】
また、発光制御信号端子Ｔｓ８は、起動状態提供端子Ｔｓ７と隣り合って配置されている。起動検出レベルＤＥＴは、カメラ１０とアクセサリー４００とが互いに通信可能な状態である場合に、Ｌレベルに維持される。したがって、発光制御信号Ｘは、発光制御信号端子Ｔｓ８に対して起動状態提供端子Ｔｓ７とは反対側からノイズを受けにくくなる。また、発光制御信号端子Ｔｓ８は、発光制御信号端子Ｔｓ８に対して起動状態提供端子Ｔｓ７とは反対側にて通信制御信号端子Ｔｓ９と隣り合っている。通信制御信号Ｃｓは、複数ビットのデータを同期信号ＣＬＫに同期して通信している期間にＬレベルに維持されており、データの通信を終了してから次のデータの通信を開始するまでの期間においては、Ｈレベルに維持されている。このように、通信制御信号Ｃｓは、信号レベルの切替わりが同期信号ＣＬＫと通信信号ＤＡＴＡのいずれよりも低周波数である。これにより、発光制御信号Ｘは、発光制御信号端子Ｔｓ８に対して通信制御信号端子Ｔｓ９とは反対側からノイズの影響を受けにくくなる。このように、カメラシステム１は、発光制御信号Ｘがノイズの影響を受けにくくなるので、通信上の安全性が保たれ、発光制御信号Ｘがノイズの影響を受けることによる誤動作（誤発光動作）等の不具合の発生を抑制することができる。
【０１８１】
また、起動状態提供端子Ｔｓ７は、通信信号端子Ｔｓ６と隣り合って配置されている。
通信信号ＤＡＴＡは、カメラ制御部１７０がデータを送受信していない状態において、Ｈレベルに維持されている。したがって、起動状態提供端子Ｔｓ７が通信信号端子Ｔｓ６と短絡した場合に、起動検出レベルＤＥＴはＨレベルになり、カメラ制御部１７０はアクセサリー４００が装着されていない状態であると判定する。よって、カメラシステム１は、アクセサリー４００がオフ状態である場合に、アクセサリー４００がオン状態であると検出して誤作動が発生することを抑制することができる。また、起動状態提供端子Ｔｓ７は、発光制御信号端子Ｔｓ８と隣り合って配置されている。発光制御信号Ｘは、カメラ制御部１７０が発光部４２５を発光させない状態においてＨレベルに維持されており、カメラ制御部１７０が発光部４２５を発光させるときにＬレベルになる。したがって、起動状態提供端子Ｔｓ７が発光制御信号端子Ｔｓ８と短絡した場合に、起動検出レベルはＨレベルになり、カメラ制御部１７０はアクセサリー４００が装着されていない状態であると判定する。よって、カメラシステム１は、アクセサリー４００がオフ状態である場合に、アクセサリー４００がオン状態であると検出して誤作動が発生することを抑制することができ、電気的な安全性が高い。また、アクセサリー４００がカメラ１０から取り外されている場合において、上述したようにカメラボディ１００側においても端子Ｔｐ６はプルアップ抵抗によりＨレベルに維持されており、また端子Ｔｐ８は通常（発光信号を送るとき以外）はＨレベルである。このため、露出しているカメラボディ１００側の端子Ｔｐ７が、例えゴミ等で隣の端子（Ｔｐ６或いはＴｐ８）と短絡したとしても、カメラボディ１００は誤判定（アクセサリーが装着され起動状態にあるという誤判定）をすることが無い。
【０１８２】
本実施形態において、同期信号端子Ｔｓ４は、基準電位が供給される基準電位端子Ｔｓ５と隣り合って配置されている。したがって、同期信号ＣＬＫは、基準電位端子Ｔｓ５に対して同期信号端子Ｔｓ４とは反対側（端子Ｔｓ６側）からの外乱（ノイズなど）の影響を受けにくくなる。また、同期信号端子Ｔｓ４は、同期信号端子Ｔｓ４に対して基準電位端子Ｔｓ５とは反対側では、基準電位が供給される基準電位端子Ｔｓ３と隣り合って配置されている。したがって、同期信号ＣＬＫは、基準電位端子Ｔｓ３に対して同期信号端子Ｔｓ４とは反対側（接地端子Ｔｓ２側）からの外乱（ノイズなど）の影響を受けにくくなる。また、基準電位端子Ｔｓ３に対して同期信号端子Ｔｓ４とは反対側に配置されている端子は、接地端子Ｔｓ２であり、接地端子Ｔｓ２の電位はほぼ基準電位と同じ電位になるので、同期信号ＣＬＫは、ノイズを受けにくくなる。このように、カメラシステム１は、同期信号ＣＬＫがノイズの影響を受けにくくなるので通信上の安全性が保たれ、通信の基準信号となる同期信号ＣＬＫがノイズの影響を受けることによる誤動作等の不具合の発生を抑制することができる。
【０１８３】
また、レベル切替部４７５は、カメラ１０からアクセサリー４００を取り外す動作や機能オフ操作に応じて起動検出レベルＤＥＴの状態（電気的レベル）を切り替える。したがって、カメラ１０は、アクセサリー４００の取外し操作や機能オフ操作に応じてアクセサリー４００を制御することができ、アクセサリー４００を安定して制御することができる。また、カメラシステム１は、例えばアクセサリー４００がカメラ１０に装着されて且つ機能オン操作されたことをカメラ制御部１７０が検出して、その検出結果に基づいてカメラ制御部１７０がアクセサリー４００の制御を開始することができるので、アクセサリー４００が装着されてから機能させることができるまでの時間を短縮すること等ができる。
【０１８４】
また、カメラシステム１は、機能拡張設定端子Ｔｓ１０が電源端子群（Ｔｓ１１、Ｔｓ１２）と、通信や検出用の端子群（Ｔｓ４、Ｔｓ６〜Ｔｓ９／通信端子群とも称す）との間に配置されているので、電源からの電気的外乱（ノイズなど）が通信端子群に悪影響を及ぼす可能性を低減できる。また、本実施形態ではあえて機能拡張設定端子Ｔｓ１０を配置しているが、この端子Ｔｓ１０を設けることによって、（機能拡張設定端子Ｔｓ１０を配置せずにこの位置に端子が存在しない構成に比して）１２個の端子全体において、それぞれ対応する相手側の各端子との間の接触力（接触圧）を均一にすることができる。なお、機能拡張設定端子Ｔｓ１０は、上述したように、機能拡張の条件を判定する信号が供給される端子である。このため機能拡張設定端子Ｔｓ１０に供給される信号が機能拡張を行わない標準機能を示す信号と同じ判定がされる場合には、たとえ信号が供給されない場合であっても、カメラ１０における実質的な動作に影響を与えない場合がある。例えば、アクセサリー４００を標準機能として扱う場合には、アクセサリー４００から信号を受けなくても、標準機能を特定することができる。このためアクセサリー４００が機能拡張設定端子Ｔｓ１０を備えていなくても、アクセサリー４００、およびカメラシステムとして動作（機能）しなくなるものではない。このため、例えば部品点数を削減するために、アクセサリー４００側において、この機能拡張設定端子Ｔｓ１０が省略されていても構わない。また、併せて、アクセサリー４００の機能拡張設定部４８５（ＥＸＳＷ）を備えていなくてもよい。
また、拡張機能に対応する必要がないカメラボディ１００側においても同様に機能拡張設定端子Ｔｓ１０が省略されていても構わない。
【０１８５】
また、図４に示したように、シュー座１５における端子部２５の接地端子Ｔｐ１、接地端子Ｔｐ２、基準電位端子Ｔｐ３は、コネクター４２０が取り付けられる際に進入してくる方向（−Ｙ側）に向って符号Ｔｐ４からＴｐ１２で表される端子よりも突出している。
これにより、接地端子Ｔｐ１、接地端子Ｔｐ２、基準電位端子Ｔｐ３は、符号Ｔｐ４からＴｐ１２で表されるどの端子よりも先に、コネクター４２０の接地端子Ｔｐ１、接地端子Ｔｐ２、基準電位端子Ｔｐ３とそれぞれ接続されることになる。結果として、アクセサリー４００の起動状態提供端子Ｔｓ７は、アクセサリー４００がカメラボディ１００に装着された状態で、起動検出レベルＤＥＴを安定して出力することができる。
【０１８６】
以上のように、アクセサリー４００は、誤動作の発生を抑制すること等ができ、カメラシステム１の利便性を高めることができる。また、カメラ１０、シュー座１５、コネクター４２０は、いずれも、上述したような端子配列になっているので、カメラシステム１の利便性を高めることができる。
【０１８７】
なお、電源端子Ｔｐ１１と電源端子Ｔｐ１２のうちの一方の端子は、省略されていてもよい。これにより、部品点数を削減することができる。また、電源端子Ｔｐ１１と電源端子Ｔｐ１２のうちの一方の端子の代わりに、例えばオープン端子が設けられていてもよい。電源端子Ｔｐ１１と電源端子Ｔｐ１２は、一体化されていてもよい。電源端子Ｔｐ１１と電源端子Ｔｐ１２と同様に、接地端子Ｔｐ１と接地端子Ｔｐ２のうちの一方の端子は、省略されていてもよい。これにより、部品点数を削減することができる。また、接地端子Ｔｐ１と接地端子Ｔｐ２のうちの一方の端子の代わりに、例えばオープン端子が配置されていてもよい。接地端子Ｔｐ１と接地端子Ｔｐ２は、一体化されていてもよい。また、電源端子Ｔｐ１１と電源端子Ｔｐ１２の少なくとも一方を含む電源端子と、接地端子Ｔｐ１と接地端子Ｔｐ２の少なくとも一方を含む接地端子との間に配置される端子は、符号Ｔｐ３から符号Ｔｐ１０で示される端子のうちの１つでもよいし、２以上でもよく、全部でもよい。
【０１８８】
なお、発光制御信号端子Ｔｐ８が起動状態検出端子Ｔｐ７と通信制御信号端子Ｔｐ９とに挟まれるように配置される構成としては、２以上の整数をＬとして、端子部２５の端子配列において、起動状態検出端子Ｔｐ７が（Ｌ−１）番目に配置されており、発光制御信号端子Ｔｐ８がＬ番目に配置されているとともに、通信制御信号端子Ｔｐ９が（Ｌ＋１）番目に配置されている構成が挙げられる。例えば、Ｌが６である場合に、端子部の端子配列において、起動状態検出端子Ｔｐ７は５番目に配置され、発光制御信号端子Ｔｐ８は６番目に配置され、通信制御信号端子Ｔｐ９は７番目に配置される。
【０１８９】
なお、通信信号端子Ｔｐ６が起動状態検出端子Ｔｐ７と発光制御信号端子Ｔｐ８とに挟まれるように配置される構成としては、２以上の整数をＭとして、端子部２５の端子配列において、通信信号端子Ｔｐ６が（Ｍ−１）番目に配置されており、起動状態検出端子Ｔｐ７がＭ番目に配置されているとともに、発光制御信号端子Ｔｐ８が（Ｍ＋１）番目に配置されている構成が挙げられる。例えば、Ｍが４である場合に、端子部の端子配列において、通信信号端子Ｔｐ６は３番目に配置され、起動状態検出端子Ｔｐ７は４番目に配置され、発光制御信号端子Ｔｐ８は５番目に配置されることになる。
【０１９０】
なお、通信信号端子Ｔｐ６が基準電位端子Ｔｐ５と起動状態検出端子Ｔｐ７とに挟まれるように配置される構成としては、２以上の整数をＮとして、端子部２５の端子配列において、基準電位端子Ｔｐ５が（Ｎ−１）番目に配置されており、通信信号端子Ｔｐ６がＮ番目に配置されているとともに、起動状態検出端子Ｔｐ７が（Ｎ＋１）番目に配置されている構成が挙げられる。例えば、Ｎが８である場合に、端子部の端子配列において、基準電位端子Ｔｐ５は７番目に配置され、通信信号端子Ｔｐ６は８番目に配置され、起動状態検出端子Ｔｐ７は９番目に配置されることになる。
【０１９１】
なお、同期信号端子Ｔｐ４が基準電位端子Ｔｐ３と基準電位端子Ｔｐ５とに挟まれるように配置される構成としては、２以上の整数をＰとして、端子部２５の端子配列において、基準電位端子Ｔｐ３が（Ｐ−１）番目に配置されており、同期信号端子Ｔｐ４がＰ番目に配置されているとともに、基準電位端子Ｔｐ５が（Ｐ＋１）番目に配置されている構成が挙げられる。例えば、Ｐが６である場合に、端子部の端子配列において、基準電位端子Ｔｐ３は５番目に配置され、同期信号端子Ｔｐ４は６番目に配置され、基準電位端子Ｔｐ５は７番目に配置されることになる。
【０１９２】
このように、カメラシステム１は、符号Ｔｐ１から符号Ｔｐ１２で示される端子が上記のような条件で配置されていることにより、図５等を用いて既述した端子配列である場合と同様の理由により、利便性が高いシステムになる。
【０１９３】
なお、本実施形態において、各端子の配置を示す番号は、端子の配列方向（Ｘ軸方向）の一方側（＋Ｘ側）から他方側（−Ｘ側）に向って昇順する番号であるが、他方側（−Ｘ側）から一方側（＋Ｘ側）に向って昇順する番号であってもよい。この場合に、端子部２５の端子配列において、１番目と２番目の端子は、それぞれ、電源端子Ｔｐ１２、電源端子Ｔｐ１１となり、１１番目と１２番目の端子は、それぞれ、接地端子Ｔｐ２、接地端子Ｔｐ１となる。また、上記したようなカメラボディ１００の端子部２５における複数の端子の配列に関する変形は、アクセサリー４００の端子部４２３における複数の端子の配列に適用することができる。
【０１９４】
なお、本実施形態において、図１に示した撮影レンズ２００は、カメラボディ１００に対して着脱可能であるが、カメラボディ１００に対して着脱不能であってカメラボディ１００と一体になっていてもよい。撮影レンズ２００の少なくとも一部は、カメラボディ１００に収容可能でもよい。本実施形態においてカメラ１０は、少なくともカメラボディ１００を備えていればよく、撮影レンズ２００を備えていなくてもよい。すなわち、撮影レンズ２００は、カメラの外部装置（アクセサリー）であって、カメラシステム１の構成要素としてもよい。また、アクセサリー４００は、コネクター４２０とシュー座１５との間にケーブル等を介して電気的に接続可能であって、カメラボディ１００とは別の装置、例えば三脚等に保持されていてもよい。
【０１９５】
なお、本実施形態において、図６に示した電池収納部１１０はカメラボディ１００に内蔵されているが、電池収納部１１０は、カメラボディ１００の外部の装置（アクセサリー）であってもよい。例えば、電池収納部１１０は、カメラボディ１００に外付け可能であってもよい。また、カメラシステム１は、ＡＣアダプター等を介してカメラボディ１００の外部から供給された電力によって、カメラシステム１の構成要素を動作させることもできる。カメラシステム１は、外部からの電力を、電池収納部１１０に収納された電池ＢＡＴから供給される電力と同様に、カメラシステム１の各構成要素に供給することができる。
【０１９６】
なお、本実施形態において、図６に示したメモリー１４０は、カメラボディ１００に内蔵されていてもよいし、カメラボディ１００の外部の装置（アクセサリー）であってもよい。
【０１９７】
なお、本実施形態において、図２に示した第１パイロットランプ４５５は、点灯又は消灯が切替わることによって、閃光発光部４３０における発光可能な状態を示すように、構成されていたが、発する光の波長あるいは点灯と消灯とを繰り返す周期等が変化することによって、閃光発光部４３０における発光可能な状態を示すように、構成されていてもよい。第２パイロットランプ４６０は、第１パイロットランプ４５５と同様に、発する光の波長、点灯と消灯とを繰り返す周期等が変化することによって、照明光発光部４３５における発光可能な状態を示すように、構成されていてもよい。
【０１９８】
［機能拡張を行う場合のカメラシステムについて］
次に、図９から図１３を参照して、カメラシステム１における機能拡張について説明する。
前述のとおりカメラシステム１は、外部装置としてのアクセサリーとの組み合わせにより、実施可能な機能を拡張することができる。以上の説明においては、カメラ１０に接続されるアクセサリーが照明装置（アクセサリー４００）である場合を例示して説明しているが、他の種類のアクセサリーであってもよい。例えば、カメラシステム１の規格に準じた他の種類のアクセサリーとしては、上記の照明装置のほか、ＧＰＳ装置、表示装置（ＥＶＦ装置、プロジェクタなど）、無線通信装置、マイクなどが挙げられる。
さらに、カメラシステム１の規格と異なる規格に準じたカメラシステムに適用されるアクセサリーがある。カメラシステム１の規格と異なる規格のカメラシステムにおけるアクセサリーが、カメラ１０に直接接続できないものであっても、カメラシステム１に適合する変換装置７００を介することによって、カメラ１０に接続できるようになる場合がある。
このように、カメラシステム１は、様々なアクセサリーを組み合わせることにより、様々な機能を実施できるように、拡張性が確保されている。
【０１９９】
カメラ１０は、このようなアクセサリーの種類を識別することにより、アクセサリーが有する機能に応じてカメラシステム１の機能を拡張する。カメラ１０は、カメラシステム１の機能を拡張するために実施する主な処理を示す。
（１）カメラ１０（カメラ制御部１７０）は、カメラ１０からアクセサリーに供給する電力の供給条件を、アクセサリーの種類（例えば、アクセサリー種類情報）に応じて選択する。
（２）カメラ１０（カメラ制御部１７０）は、カメラ１０に接続されるアクセサリーについて、同じカメラシステムのアクセサリーか否かを判定する。例えば、後述の変換装置７００を介して接続されるアクセサリーは、異なるカメラシステムのアクセサリーであると判定する。このように、アクセサリーの種類に応じてアクセサリーに応じた機能を選択して提供する。
（３）カメラ１０（カメラ制御部１７０）は、カメラ１０とアクセサリーとの間を電気的に接続する信号端子に割り付ける信号を選択する。カメラ１０とアクセサリーの間を電気的に接続する信号端子に割り付ける信号を、予め定められている複数の信号のうちから選択する。
（４）カメラ１０（カメラ制御部１７０）は、カメラ１０とアクセサリーとの間のインタフェース条件を設定する。インタフェース条件とは、カメラ１０とアクセサリーの間を電気的に接続を規定する条件であり、例えば、信号端子に割り付ける信号種別を定める情報を含む。
（５）カメラ１０（カメラ制御部１７０）は、カメラ１０とアクセサリーとの間を電気的に接続する複数の信号端子の状態を組み合わせることにより、上記の信号端子に割り付ける信号種別を選択する。
【０２００】
次に、カメラシステムをアクセサリー４００と異なるアクセサリーを含めて構成した場合について順に説明する。
【０２０１】
（機能拡張例１：カメラ１０と変換装置７００とアクセサリー４００Ｂとを含む構成）
図９は、本実施形態のカメラシステム１の外観を示す図である。
この図に示されるカメラシステム１は、カメラ１０（カメラボディ１００及び撮影レンズ２００）、変換装置７００及びアクセサリー４００Ｂを備える。
【０２０２】
まず、アクセサリー４００Ｂについて説明する。
アクセサリー４００Ｂは、カメラシステム１におけるカメラボディ１００に接続する条件を規定する規格と異なる規格のカメラシステムに適用される照明装置の一実施形態として示すものである。前述のアクセサリー４００と同様に、本実施形態のアクセサリー４００Ｂは、発光機能を有し、被写体を照らす照明装置である。ただし、アクセサリー４００Ｂは、カメラ１の規格と異なる規格に準じているため、カメラボディ１００に直接接続することができない。
そこで、アクセサリー４００Ｂは、変換装置７００を介してカメラボディ１００に接続する。
【０２０３】
以下、アクセサリー４００Ｂと変換装置７００の構成と、アクセサリー４００Ｂと変換装置７００とカメラ１０との接続関係について説明する。
【０２０４】
まず、アクセサリー４００Ｂについて説明する。この図に示されるアクセサリー４００Ｂは、アクセサリー本体４１０Ｂ、コネクター４２０Ｂ、及び発光部４２５Ｂを備える。
発光部４２５Ｂは、閃光発光部４３０を備える。
また、アクセサリー４００Ｂは、アクセサリー４００が備えているコネクター４２０を備えず、コネクター４２０に代えてコネクター４２０Ｂを備えている。
アクセサリー本体４１０Ｂは、各種電気部品などを収容している。コネクター４２０Ｂは、アクセサリー本体４１０Ｂの下方に設けられている。
このアクセサリー４００Ｂは、カメラシステム１の規格と異なる規格のカメラシステムに適用されるものであり、例えば、コネクター４２０Ｂは、シュー座１５に適合するコネクター４２０に対して、形状・電気的な仕様などが異なる。
そのため、コネクター４２０Ｂは、カメラボディ１００のシュー座１５に対して着脱することができない。そこで、変換装置７００によって、アクセサリー４００Ｂをカメラボディ１００に装着できるようにコネクターの形状・電気的な仕様を変換する。
アクセサリー４００Ｂは、変換装置７００を介することにより、カメラボディ１００のシュー座１５に対して着脱可能となる。
【０２０５】
次に、変換装置７００について説明する。
変換装置７００は、アクセサリー４００Ｂをカメラボディ１００に装着する際に、アクセサリー４００Ｂとカメラボディ１００の間に設けられる。変換装置７００は、アクセサリー４００Ｂが備えるコネクター４２０Ｂを、カメラボディ１００のシュー座１５に適合するコネクター４２０に変換する。
変換装置７００は、コネクター４２０、シュー座１５Ｂ及び本体７１０を備える。
変換装置７００の本体７１０には、アクセサリー４００Ｂを変換装置７００に装着するシュー座１５Ｂが本体７１０の上部（本体７１０に対して、＋Ｚ側）に配置されている。また、変換装置７００の本体７１０には、変換装置７００をカメラ１０に装着するコネクター４２０が本体７１０の下部（本体７１０に対して−Ｚ側）に配置されている。
このようにして、アクセサリー４００Ｂは、変換装置７００を介してカメラボディ１００のシュー座１５に装着される。変換装置７００のコネクター４２０がシュー座１５に装着されて、固定されることによって、アクセサリー４００Ｂは、カメラボディ１００に対して固定される。
【０２０６】
ここで、変換装置７００の本体７１０に設けられているシュー座１５Ｂについて説明する。
図１０は、シュー座１５Ｂを＋Ｚ軸方向から見た平面図である。
シュー座１５Ｂは、底板部２１Ｂ、天板部２２Ｂ、底板部２１Ｂと天板部２２Ｂとの間に配置された側板部２３Ｂ、底板部２１Ｂと天板部２２Ｂとの間に配置された開口２４Ｂ、及び底板部２１Ｂに配置された端子部７２５を備える。
【０２０７】
底板部２１Ｂは、図１０に示した変換装置７００の本体７１０の上方（本体７１０に対して＋Ｚ軸側）に取付けられている。底板部２１は、変換装置７００の本体７１０の上方に固定される。本実施形態において、＋Ｚ軸方向を「上方」ということがある。
【０２０８】
天板部２２Ｂは、上方（＋Ｚ軸方向）から見た平面形状が、Ｘ軸方向に隔離され、Ｙ軸方向に対して対称に配置された２つの長方形からなる分割構造をしている。天板部２２Ｂは、上方（＋Ｚ軸方向）から見て側板部２３Ｂよりも内側に張出している。側板部２３Ｂは、開口２４Ｂから所定の方向（Ｙ軸方向）に延びる一対の内壁を有する。側板部２３Ｂの一対の内壁は、内壁の延在方向（Ｙ軸方向）に直交する方向（Ｘ軸方向）にて、互いに向かい合って配置されている。
【０２０９】
開口２４Ｂは、底板部２１Ｂから天板部２２Ｂへ向かう方向（＋Ｚ軸方向）に対して交差する方向に向って、開いている。開口２４Ｂは、側板部２３Ｂの内壁の延在方向（Ｙ軸方向）にほぼ平行な方向に向って、開いている。開口２４Ｂは、コネクター４２０Ｂを挿入することができるように、寸法及び形状が設定されている。
【０２１０】
端子部７２５は、端子Ｔｂ１，Ｔｂ４，Ｔｂ６，Ｔｂ８，Ｔｂ９の複数（５個）の端子を有する。端子部７２５の複数の端子は、端子Ｔｂ４，Ｔｂ６，Ｔｂ８，Ｔｂ９が、底板部２１Ｂが有する面に設けられている。底板部２１Ｂが有する面において、端子Ｔｂ８が、底板部２１Ｂが有する面のほぼ中央に設けられ、端子Ｔｂ４とＴｂ６が，端子Ｔｂ８より開口２４Ｂ側に設けられ、端子Ｔｂ９が、開口２４Ｂから見て端子Ｔｂ８より奥になるように設けられている。また、端子Ｔｂ１は、底板部２１Ｂ、側板部２３、天板部２２の何れの領域に設けられた導電性(金属)の領域であって、端子Ｔｂ４，Ｔｂ６，Ｔｂ８，Ｔｂ９と絶縁された領域に設けられている。端子Ｔｂ１は、後述するようにいわゆるグランド端子となっている。
【０２１１】
複数の端子のうちの端子Ｔｂ１とＴｂ８は、標準規格（ＪＩＳ  Ｂ７１０１）に準じて設けられている。なお、端子Ｔｂ１とＴｂ８以外の他の端子は、一例を示すものであり、端子の個数、設けられている位置について、図に示される条件に制限されるものではなく、図と異なる構成にすることも可能である。
【０２１２】
アクセサリー４００Ｂは、シュー座１５Ｂの開口２４Ｂにコネクター４２０Ｂを挿入して所定の方向（＋Ｙ軸方向）にスライド移動させることによって、シュー座１５Ｂに取付けられる。
【０２１３】
図１１は、本実施形態の機能拡張例１におけるアクセサリー（変換装置７００とアクセサリー４００Ｂ）の構成、及びカメラ１０とアクセサリーとの接続を示すブロック図である。
【０２１４】
まず、変換装置７００の構成について説明する。変換装置７００は、第１スイッチ部４６５Ｂ（ＭＳＷ）、第２スイッチ部４７０（ＰＣＳＷ）、機能拡張設定部４８５（ＥＸＳＷ）、端子部７２３、及び、端子部７２５を備える。
【０２１５】
第１スイッチ部４６５Ｂ（ＭＳＷ）は、変換装置７００のシュー座１５Ｂにアクセサリーが装着された状態を検出する検出部４６５ａと、検出した状態に応じて導通状態が切り替えられるスイッチ４６５ｂとを備える。第１スイッチ部４６５Ｂ（ＭＳＷ）の検出部は、シュー座１５Ｂにアクセサリーが装着された状態を検出し、検出した状態に応じてスイッチを切り替えて回路を遮断させる。第１スイッチ部４６５Ｂ（ＭＳＷ）は、シュー座１５Ｂにアクセサリーが装着された状態を検出した場合に、回路を導通させる。また、第１スイッチ部４６５Ｂ（ＭＳＷ）は、シュー座１５Ｂにアクセサリーが装着されていない状態を検出した場合に、回路を遮断させる。第１スイッチ部４６５Ｂ（ＭＳＷ）と第２スイッチ部４７０Ｂ（ＰＣＳＷ）が、直列に接続されており、双方ともに導通状態にある場合に、カメラ１０に対してＤＥＴ信号が送られる。このように、第１スイッチ部４６５Ｂ（ＭＳＷ）と第２スイッチ部４７０Ｂ（ＰＣＳＷ）を直列に接続したことにより、変換装置７００とアクセサリー４００Ｂとが、ともに装着された状態になった場合に、カメラ１０は新たにアクセサリーが装着された状態を検出することができる。
【０２１６】
なお、第２スイッチ部４７０Ｂ（ＰＣＳＷ）を設けずに、第１スイッチ部４６５Ｂ（ＭＳＷ）を設けた場合には、アクセサリー４００Ｂが装着された状態を検出した場合に、回路を導通させて、カメラ１０に対してＤＥＴ信号を送ることとしてもよい。
【０２１７】
機能拡張設定部４８５（ＥＸＳＷ）は、前述の機能拡張設定部４８５（ＥＸＳＷ）に相当し、本アクセサリーの種類が変換装置７００であることを示す機能拡張設定信号Ｏｐを生成して出力する。
【０２１８】
端子部７２３は、端子Ｔｓ１からＴｓ１０までの各端子を備える。端子Ｔｓ１からＴｓ１０までの各端子は、アクセサリー４００において同じ符号を附した各端子に対応する。
端子部７２５は、端子Ｔｂ１，Ｔｂ４，Ｔｂ６，Ｔｂ８，Ｔｂ９の各端子を備える。
端子Ｔｂ１は、接地端子Ｔｓ１とＴｓ２，基準電位端子Ｔｓ３とＴｓ５に対応して設けられ、基準電位線４８０Ｃを介して端子Ｔｓ１に接続されている。端子Ｔｂ４は、端子Ｔｓ４に対応して設けられ、信号線を介して端子Ｔｓ４に接続されている。端子Ｔｂ６は、端子Ｔｓ６に対応して設けられ、信号線を介して端子Ｔｓ６に接続されている。端子Ｔｂ９は、端子Ｔｓ９に対応して設けられ、信号線を介して端子Ｔｓ９に接続されている。
【０２１９】
次に、アクセサリー４００Ｂ側の構成について説明する。本実施形態の機能拡張例１におけるアクセサリー４００Ｂは、内蔵する電池ＢＡＴ２から供給される電力ＢＰＷＲによって動作する。アクセサリー４００Ｂは、カメラ１０から電力の供給を受けずに電力ＢＰＷＲによってアクセサリー４００Ｂの各構成要素を機能させることができる。
【０２２０】
アクセサリー４００Ｂは、閃光発光部４３０、アクセサリー制御部４４０Ｂ、不揮発性メモリー４４５、電源部４５０、第１パイロットランプ４５５及び端子部４２３Ｂを備える。上述のとおり本アクセサリー４００Ｂは、電池ＢＡＴ２を内蔵する。
【０２２１】
以下、アクセサリー４００との相違点を中心にアクセサリー４００Ｂの詳細を説明する。
端子部４２３Ｂは、端子Ｔｃ１，Ｔｃ４，Ｔｃ６，Ｔｃ８，Ｔｃ９の各端子を備える。
端子部４２３Ｂにおける端子Ｔｃ１，Ｔｃ４，Ｔｃ６，Ｔｃ８，Ｔｃ９の各端子は、端子部７２５における端子Ｔｂ１，Ｔｂ４，Ｔｂ６，Ｔｂ８，Ｔｂ９の各端子に対応させて設けられている。
【０２２２】
また、端子部４２３Ｂにおける端子Ｔｃ１，Ｔｃ４，Ｔｃ６，Ｔｃ８，Ｔｃ９の各端子は、以下のようにアクセサリー４００の端子部４２３における次の端子にそれぞれ対応する。
端子Ｔｃ１は、前述の接地端子Ｔｓ１、Ｔｓ２及び基準電位端子Ｔｓ３，Ｔｓ５に相当し、端子Ｔｃ１には、基準電位線４８０Ｂが接続されており、アクセサリー４００Ｂが備えている各部が、基準電位線４８０Ｂを介して接地している。
【０２２３】
端子Ｔｃ４は、前述の同期信号端子Ｔｓ４に相当し、信号線を介して、アクセサリー制御部４４０Ｂに接続されている。端子Ｔｃ６は、前述の通信信号端子Ｔｓ６に相当し、信号線を介して、アクセサリー制御部４４０Ｂに接続されている。端子Ｔｃ６は、前述の発光制御信号端子Ｔｓ８に相当し、信号線を介して、アクセサリー制御部４４０Ｂに接続されている。端子Ｔｃ９は、前述の通信制御信号端子Ｔｓ９は、信号線を介して、アクセサリー制御部４４０Ｂに接続されている。端子Ｔｓ６，Ｔｓ８，Ｔｓ９に接続している信号線にはプルアップ抵抗がそれぞれ設けられている。このプルアップ抵抗は電源部４５０の出力側に電気的に接続されている。このため端子Ｔｓ４，Ｔｓ６，Ｔｓ９における電位（レベル）は、カメラ１０への装着前及びカメラ１０との通信開始前にＨレベルにそれぞれ維持される。
電池ＢＡＴ２の正極が、電源部４５０と閃光発光部４３０に接続されている。電池ＢＡＴ２の負極が、基準電位線４８０Ｂに接続されている。
電源部４５０は、電池ＢＡＴ２から供給された電力の電圧を安定化（定電圧制御）する定電圧回路を備え、安定化した電力をアクセサリー制御部４４０Ｂに供給する。
【０２２４】
次に、カメラ１０と変換装置７００とアクセサリー４００Ｂとの接続関係について説明する。アクセサリー４００Ｂが変換装置７００を介してカメラ１０に装着されている状態（以下、装着状態という）において、端子Ｔｃ１は、端子Ｔｂ１と接地端子Ｔｓ１（Ｔｓ２）を介して、カメラ１０の接地端子Ｔｐ１（Ｔｐ２）に接続される。そしてこれらアクセサリー４００Ｂ側の端子Ｔｃ１に接続している箇所（充電部４３２の接地端子）は、装着状態において、接地端子Ｔｐ１及び接地端子Ｔｓ１を介した経路と、接地端子Ｔｐ２及び接地端子Ｔｓ２を介した経路との少なくとも一方の経路を介して、接地線４３に接続されてカメラ１０内の電池ＢＡＴの負極に接続される。そのため、接地端子Ｔｓ１、Ｔｓ２及びそれらに接続している箇所の電位は、装着状態において、電池ＢＡＴの負極の電位に応じた基準電位になる。
【０２２５】
端子Ｔｃ１は、装着状態において、端子Ｔｂ１と基準電位端子Ｔｓ３（Ｔｓ５）を介して、カメラ１０の基準電位端子Ｔｐ３（Ｔｐ５）に接続される。
【０２２６】
機能拡張設定端子Ｔｓ１０は、変換装置７００がカメラ１０に装着された状態において、機能拡張設定部４８５によって生成された機能拡張設定信号Ｏｐが、機能拡張設定端子Ｔｐ１０を介して提供される。本実施形態の機能拡張設定信号Ｏｐは、給電が不要なアクセサリーであることを示す情報を含めて送る信号である。
【０２２７】
起動状態提供端子Ｔｓ７は、アクセサリー４００Ｂが変換装置７００に装着され、変換装置７００がカメラ１０に装着された状態において、基準電位線４８０Ｃを介して、接地線４３に接続される。そのため、カメラ制御部１７０は、アクセサリー４００Ｂが変換装置７００を介してカメラ１０に装着されている状態（以下、第１状態と称す）であるときに、第１状態であることを示す起動検出レベルＤＥＴ（ＳＧＮＤレベル／基準電位レベル／Ｌｏｗレベル／Ｌレベル）を、起動状態提供端子Ｔｓ７及び起動状態検出端子Ｔｐ７を介して検出することができる。また、カメラ制御部１７０は、下記の第２状態であるときに、第１状態とは電気的にレベルが異なる起動検出レベルＤＥＴを検出することができる。第２状態は、アクセサリー４００Ｂが変換装置７００に装着されていない状態と、変換装置７００がカメラ１０に装着されていない状態とのいずれかの状態を含む。
【０２２８】
端子Ｔｃ４は、装着状態において、端子Ｔｂ４と同期信号端子Ｔｓ４を介して、カメラ１０の同期信号端子Ｔｐ４に接続される。すなわち、アクセサリー制御部４４０Ｂは、装着状態において、端子Ｔｃ４、端子Ｔｂ４、同期信号端子Ｔｐ４及び同期信号端子Ｔｓ４を介して、カメラ制御部１７０に接続される。
【０２２９】
端子Ｔｃ６は、装着状態において、端子Ｔｂ６と通信信号端子Ｔｓ６を介して、カメラ１０の通信信号端子Ｔｐ６に接続される。すなわち、アクセサリー制御部４４０Ｂは、装着状態において、端子Ｔｃ６、端子Ｔｂ６、通信信号端子Ｔｐ６及び通信信号端子Ｔｓ６を介して、カメラ制御部１７０に接続される。
【０２３０】
端子Ｔｃ９は、装着状態において、端子Ｔｂ９と通信制御信号端子Ｔｓ９を介して、カメラ１０の通信制御信号端子Ｔｐ９に接続される。すなわち、アクセサリー制御部４４０Ｂは、装着状態において、端子Ｔｃ９、端子Ｔｂ９、通信制御信号端子Ｔｐ９及び通信制御信号端子Ｔｓ９を介して、カメラ制御部１７０に接続される。
【０２３１】
端子Ｔｃ８は、装着状態において、端子Ｔｂ８と発光制御信号端子Ｔｓ８を介して、カメラ１０の発光制御信号端子Ｔｐ８に接続される。すなわち、アクセサリー制御部４４０Ｂは、装着状態において、端子Ｔｃ８、端子Ｔｂ８、発光制御信号端子Ｔｐ８及び発光制御信号端子Ｔｓ８を介して、カメラ制御部１７０に接続される。
このように機能拡張例１として示されたカメラシステム１において、上記のように接続されるアクセサリー制御部４４０Ｂを、カメラ制御部１７０に対してアクセサリー４００のアクセサリー制御部４４０と同様に機能させることができる。
【０２３２】
（機能拡張例２：カメラ１０と表示装置９００とを含む構成）
続いて、機能拡張例２について説明する。
図１２は、本実施形態の機能拡張例２におけるカメラシステム１の外観を示す図である。
この図に示されるカメラシステム１は、カメラ１０（カメラボディ１００及び撮影レンズ２００）、及び表示装置９００を備える。
まず、表示装置９００について説明する。表示装置９００は、カメラシステム１において、外部装置として設けられる表示装置の一実施態様を示すものである。この図に示される表示装置９００は、いわゆる「電子ビューファインダー」である。
この図１２に示される表示装置９００は、表示装置本体９１０とコネクター４２０を備える。表示装置本体９１０は、各種電気部品などを収容している。コネクター４２０は、表示装置本体９１０の下方に設けられている。コネクター４２０は、カメラボディ１００のシュー座１５に対して着脱可能とする。
【０２３３】
表示装置９００は、カメラボディ１００との間の電気的な仕様が前述のアクセサリー４００等と異なる。
表示装置９００の表示装置本体９１０には、表示装置９００をカメラ１０に装着するコネクター４２０が表示装置本体９１０の下部（表示装置本体９１０に対して−Ｚ側）に配置されている。このようにして、表示装置９００は、カメラボディ１００のシュー座１５に装着され、カメラボディ１００に対して固定される。
なお、表示装置本体９１０の背面側（表示装置本体９１０に対して−Ｙ側）には、接眼部９９０が設けられている。接眼部９９０は、表示装置本体９１０の内部に設けられている表示部９８０（図１３）によって表示されている像を見るための接眼光学系を含む。
【０２３４】
図１３は、機能拡張例２におけるアクセサリー（表示装置９００）の構成と、カメラ１０とアクセサリーとの接続を示すブロック図である。
まず、表示装置９００について説明する。
この図において、表示装置９００は、電源部９５０、表示部９８０、受信部９３０、表示駆動部９４０、第１スイッチ部４６５（ＭＳＷ）、第２スイッチ部４７０（ＰＣＳＷ）は、機能拡張設定部４８５（ＥＸＳＷ）を備える。
【０２３５】
電源部９５０は、カメラ１０から供給された電力の電圧を安定化（定電圧制御）する定電圧回路を備える。電源部９５０は、定電圧回路によって電圧が安定化された電力を、表示装置内の各部に供給する。電源部９５０は、接地端子が基準電位線４８０（ＳＧＮＤ）に接続され、入力端子が電源端子Ｔｐ１１とＴｐ１２とに接続され、出力端子が表示装置９００内の各部に接続されている。
表示部９８０は、ＬＣＤなどの表示素子を含み、カメラ１０から供給される表示信号に含まれる表示情報を表示する。
【０２３６】
受信部９３０は、カメラ１０から供給される表示信号（ＴｘＰ／ＴｘＮ）のレベル変換を行う。受信部９３０には２つの入力端子があり、それぞれ表示信号端子Ｔｐ４’と表示信号端子Ｔｐ６’とに接続されている。
表示駆動部９４０は、カメラ１０からの制御情報に応じて、表示部９８０に表示する画像の表示状態を制御する。表示駆動部９４０は、例えば、表示部９８０の点灯や明るさ調整、消灯等の表示制御や、カメラ制御部１７０から出力される画像データを表示部９８０に表示させる処理を行う。表示駆動部９４０は、表示信号が入力される入力端子が受信部９３０に接続され、出力端子が表示部９８０の入力端子に接続されている。表示駆動部９４０は、表示制御信号（ＤＡＴＡ）とＣＬＫ信号が入力される制御系信号端子が、それぞれ、ＣＬＫ端子Ｔｐ８’とＤＡＴＡ端子Ｔｐ９’とに接続されている。
【０２３７】
端子部４２３は、アクセサリー４００における端子部４２３に対応するものであり、カメラ１０の端子部２５が備える各端子に接触する複数の端子を備える。
機能拡張設定部４８５（ＥＸＳＷ）は、前述の機能拡張設定部４８５（ＥＸＳＷ）に相当し、本アクセサリーの種類が表示装置９００であることを示す機能拡張設定信号Ｏｐを生成して出力する。
【０２３８】
なお、本機能拡張例２おけるカメラ１０は、機能拡張設定信号Ｏｐを検出し、本アクセサリーの種類が表示装置９００であることを特定する。これにより、端子部２５から供給される信号には、アクセサリー４００又は変換装置７００の場合と異なる信号が割り付けられる。要するに、端子部２５に割り付けられる信号は、表示装置９００を機能させるための信号が割り付けられる。カメラ制御部１７０は、この割り付け変更において、各端子に対する信号の割り付けを次のように変更する。割り付けられる信号が異なる端子は、上述のとおり、４番目の端子、６番目の端子、８番目の端子及び９番目の端子である。カメラ制御部１７０は、４番目の端子（表示信号端子Ｔｐ４’）を、カメラ１０からアクセサリー側に対して表示信号を出力する端子にする。カメラ制御部１７０は、６番目の端子（表示信号端子Ｔｐ６’）を、カメラ１０からアクセサリー側に対して表示信号を出力する端子にする。カメラ制御部１７０は、８番目の端子（ＣＬＫ端子Ｔｐ８’）を、表示装置９００の表示駆動部９４０（図１３）に情報を送る際のタイミング信号を出力する端子にする。カメラ制御部１７０は、９番目の端子（ＤＡＴＡ端子Ｔｐ９’）を、表示装置９００の表示駆動部９４０（図１３）に情報を送る際のデータ信号を出力する端子にする。
【０２３９】
このように、本実施形態におけるカメラシステム１は、カメラ１０に装着されるアクセサリーの種類に応じて異なる機能の処理を行うように機能拡張される場合がある。以下、カメラシステム１における機能拡張を実現するための処理の手順について説明する。
以下の説明において、同様の処理については、同じ符号を付してその説明を簡略化あるいは省略することがある。
【０２４０】
図１４は、カメラシステムにおける処理の手順を示すフローチャートである。カメラシステム１は、カメラ１０に装着された状態にあるアクセサリーを起動するための一連の処理（起動シーケンス）を行う。カメラシステム１は、起動シーケンス（ステップＳ１）において、カメラ１０とアクセサリーとの間で通信ができるように準備する一連の処理（通信準備シーケンス）を行う。この処理において、アクセサリーの種類を特定するための情報をアクセサリーから得てアクセサリー種別情報を生成する（ステップＳ２）。カメラシステム１は、起動シーケンスにおいて通信準備シーケンスの終了後に、撮像に必要な情報をカメラ制御部１７０とアクセサリー制御部４４０（又は、４４０Ｂ）、或は、表示駆動部９４０との間で相互に通信する一連の処理（初期通信シーケンス）を、特定したアクセサリーの種類に応じて行う。前述のようにアクセサリーの種類によって、カメラ１０から給電が不要なアクセサリーや、シュー座１５に設けられた端子部２５に割り付ける信号が異なるアクセサリーがある。カメラシステム１は、前段のステップＳ２において生成したアクセサリー種別情報に従った初期化処理（初期通信シーケンス）を行う（ステップＳ３）。カメラシステム１は、初期通信シーケンスの終了後に、設定変更等で変化した情報を更新できるように、カメラ制御部１７０とアクセサリー制御部４４０（又は、４４０Ｂ）、或は、表示駆動部９４０との間で相互に通信する一連の処理（定常通信シーケンス）を行う（ステップＳ４）。
【０２４１】
カメラ制御部１７０は、定常通信シーケンスの終了後に、割込要求が有るか否かを判定する判定処理を行う（ステップＳ５）。カメラシステム１は、割込要求がないとステップＳ５で判定した場合（ステップＳ５；Ｎｏ）に、定常通信シーケンスの処理を再度行う。
カメラシステム１は、割込要求があるとステップＳ５で判定した場合（ステップＳ５；Ｙｅｓ）に、割込処理（ステップＳ６）を行う。割込処理は、例えば、撮影シーケンスに含まれる一連の処理である。カメラシステム１は、割込処理の終了後に、定常通信シーケンスの処理を再度行う。すなわち、カメラシステム１は、撮影シーケンスにおいて、定常通信シーケンスの処理を行わない。
【０２４２】
次に、通信準備シーケンスについて説明する。カメラシステム１は、通信準備シーケンスにおいて、カメラボディ１００にアクセサリーが装着されているか否かを検出する。カメラシステム１は、カメラボディ１００にアクセサリーが装着されている場合に、装着されているアクセサリーの種類を特定するための情報をアクセサリーから得る。カメラシステム１は、アクセサリーから得た情報に従い、必要に応じてアクセサリーに電力の供給を開始し、また、カメラボディ１００は、アクセサリーに通信を許可することを通知する。以下、通信準備シーケンスにおける処理フローの一例を説明する。
【０２４３】
図１５は、通信準備シーケンスにおける処理の手順を示す図である。
以下の説明においては、上記のように、機能拡張設定信号Ｏｐの信号レベルに応じてアクセサリーの種類を示す情報を付与した場合について説明する。アクセサリーから提供されるアクセサリーの種別を示す情報は、機能拡張設定端子Ｔｐ１０に供給される機能拡張設定信号Ｏｐに基づいてカメラ制御部１７０が検出する情報である。
【０２４４】
起動検出レベルＤＥＴの信号レベルは、アクセサリー４００又は表示装置９００がカメラ１０に装着され、かつ第２スイッチ部４７０が回路を閉路している（「オン」の位置）場合に、Ｌ（ロー）レベルになる。或は、起動検出レベルＤＥＴの信号レベルは、アクセサリー４００Ｂが変換装置７００に装着され、且つ変換装置７００がカメラ１０に装着されている場合に、Ｌ（ロー）レベルになる（ステップＳ１０１）。
【０２４５】
次に、カメラ制御部１７０は、起動検出レベルＤＥＴがＬレベルであるか否かの判定する判定処理を行う（ステップＳ１０２）。カメラ制御部１７０は、起動検出レベルＤＥＴがＬレベルでないとステップＳ１０２で判定した場合（ステップＳ１０２；Ｎｏ）に、アクセサリーがカメラ１０に装着されていない状態であると判定して、ステップＳ１０２の判定処理を再度行う。
【０２４６】
カメラ制御部１７０は、起動検出レベルＤＥＴがＬレベルであるとステップＳ１０２で判定した場合（ステップＳ１０２；Ｙｅｓ）に、カメラ制御部１７０は、アクセサリー電源制御部３３を制御して、カメラ１０からアクセサリーへの電力供給をアクセサリー電源制御部３３に開始させる（ステップＳ１０３）。アクセサリー制御部４４０又は、表示駆動部９４０は、カメラ１０から供給された電力によって、起動する。（なお、アクセサリー制御部４４０Ｂは、電池ＢＡＴ２から供給される電力によって、起動する。）また、機能拡張設定部４８５は、機能拡張設定信号Ｏｐを機能拡張設定端子Ｔｐ１０と機能拡張設定端子Ｔｓ１０を介して、カメラ制御部１７０に出力する。
カメラ制御部１７０は、機能拡張設定端子Ｔｐ１０から得る機能拡張設定信号Ｏｐを検出する。例えば、カメラ制御部１７０は、機能拡張設定端子Ｔｐ１０に供給されている機能拡張設定信号Ｏｐの信号レベルを検出する（ステップＳ１０４）。
カメラ制御部１７０は、検出した機能拡張設定信号Ｏｐに基づいて、アクセサリーが給電を必要とするものであるか否かを判定する。例えば、カメラ制御部１７０は、機能拡張設定信号Ｏｐの信号レベルが予め定められた閾値レベル以上か否かを判定した結果により、アクセサリーが給電を必要とするものであるか否かを判定する（ステップＳ１０５）。
ステップＳ１０５における判定により、アクセサリーが給電を必要とするものではないと判定した場合（ステップＳ１０５：Ｎｏ）には、カメラ制御部１７０は、判定結果を記憶部１５８に記憶させるとともに、アクセサリー電源制御部３３を制御して、カメラ１０からアクセサリーへの電力供給をアクセサリー電源制御部３３に停止させ、ステップＳ１０７に進む（ステップＳ１０６）。
【０２４７】
一方、ステップＳ１０５における判定により、アクセサリーが給電を必要とするものであると判定した場合（ステップＳ１０５：Ｙｅｓ）、には、カメラ制御部１７０は、判定結果を記憶部１５８に記憶させるとともに、検出したアクセサリーが表示装置９００であるか否かを判定する（ステップＳ１０７）。
ステップＳ１０７における判定により、検出したアクセサリーが表示装置９００であると判定した場合（ステップＳ１０７：Ｙｅｓ）には、カメラ制御部１７０は、判定結果を記憶部１５８に記憶させるとともに、シュー座１５に設けられている端子部２５の各端子の機能を表示装置９００としての機能（仕様）に割り付け、ステップＳ１１１に進む（ステップＳ１０８）。
【０２４８】
ステップＳ１０７における判定により、検出したアクセサリーが表示装置９００ではないと判定した場合（ステップＳ１０７：Ｎｏ）には、カメラ制御部１７０は、判定結果を記憶部１５８に記憶させるとともに、シュー座１５に設けられている端子部２５の各端子の機能を標準的な機能（仕様）として割り付け、ステップＳ１１１に進む。標準的な機能（仕様）としての割り付けとは、例えば、アクセサリー４００（照明装置）、ＧＰＳ装置、変換装置などに適用する割り付けであり、表示装置への適用する割り付けを除くものとする（ステップＳ１０９）。
【０２４９】
カメラ制御部１７０は、アクセサリーがアクセサリー４００である場合におけるステップＳ１０９の制御の終了後、又は、アクセサリーが表示装置９００である場合におけるステップＳ１０８の制御の終了後、アクセサリーに通信の許可を通知する（ステップＳ１１１）。カメラ１０の通信制御信号端子Ｔｐ９の電位すなわち通信制御信号Ｃｓの信号レベルは、アクセサリーがカメラ１０に装着されていないとカメラ制御部１７０に判定されている状態で、Ｌレベルになっている。
【０２５０】
アクセサリー制御部４４０（４４０Ｂ）、或は、表示駆動部９４０は、通信制御信号端子Ｔｓ９の電位すなわち通信制御信号Ｃｓの信号レベルがＨレベルであるか否かを判定する判定処理を行う（ステップＳ１１２）。アクセサリー制御部４４０（４４０Ｂ）、或は、表示駆動部９４０は、通信制御信号ＣｓがＨレベルでないとステップＳ１１２で判定した場合（ステップＳ１１２；Ｎｏ）に、ステップＳ１１２の判定処理を再度行う。アクセサリー制御部４４０（４４０Ｂ）、或は、表示駆動部９４０は、通信制御信号ＣｓがＨレベルであるとステップＳ１１２で判定した場合（ステップＳ１１２；Ｙｅｓ）に、カメラ制御部１７０との通信が許可されたと認識する。
【０２５１】
この通信準備シーケンスは、カメラ制御部１７０がステップＳ１１１で通信制御信号ＣｓをＨレベルに立ち上げて通信許可を通知し、アクセサリー４００におけるアクセサリー制御部４４０又はアクセサリー４００Ｂにおけるアクセサリー制御部４４０Ｂ又は表示装置９００における表示駆動部９４０がカメラ制御部１７０との通信が許可されたと認識した後に、終了する。
【０２５２】
このように、カメラシステム１は、アクセサリーから出力される起動検出レベルＤＥＴとアクセサリーの種類を示す機能拡張設定信号Ｏｐに基づいて、カメラ１０にアクセサリーを組み合わせた場合の機能の範囲を判定する。カメラシステム１は、アクセサリーに応じた機能を標準機能から拡張することができる。また、カメラ１０は、その判定結果に応じてアクセサリーへの電力の供給を開始するので、アクセサリーに電力を供給する制御の信頼性が高くなる。
また、カメラシステム１は、カメラ制御部１７０がアクセサリーへの電力の供給を開始した後に通信許可の通知を行う。これにより、カメラシステム１は、アクセサリー（アクセサリー４００など）が起動している状態でアクセサリー制御部（アクセサリー制御部４４０など）が通信許可の通知を受けることになり、カメラ１０とアクセサリー（アクセサリー４００など）との間における通信の開始を安定して制御することができる。このように、カメラシステム１は、アクセサリー（アクセサリー４００など）を安定して制御することができ、安定して動作するものとなるので、利便性が高いシステムである。
【０２５３】
（第２実施形態）
図１から図１４、図１６を参照し、第１実施形態と異なる通信準備シーケンスにおける処理について説明する。
図１６は、通信準備シーケンスにおける処理の手順を示す図である。
アクセサリーから提供されるアクセサリーの種別を示す情報を、カメラ制御部１７０は、機能拡張設定端子Ｔｐ１０から機能拡張設定信号Ｏｐとして得る。本実施形態における通信準備シーケンスにおいては、アクセサリーにカメラ１０が給電を開始する前に、アクセサリーから機能拡張設定信号Ｏｐを得ることが必要とされる。例えば、機能拡張設定信号Ｏｐの信号レベルに応じてアクセサリーの種類を示す情報を付与しておき、カメラ制御部１７０は、機能拡張設定端子Ｔｐ１０の信号レベルを判定することにより、実現することができる。
以下の説明においては、上記のように、機能拡張設定信号Ｏｐは、信号レベルに応じてアクセサリーの種類を示す情報が付与されている場合の処理について説明する。
【０２５４】
起動検出レベルＤＥＴの信号レベルは、アクセサリー４００又は表示装置９００がカメラ１０に装着され、かつ第２スイッチ部４７０が回路を閉路している（「オン」の位置）場合に、Ｌ（ロー）レベルになる。或は、起動検出レベルＤＥＴの信号レベルは、アクセサリー４００Ｂが変換装置７００に装着され、且つ変換装置７００がカメラ１０に装着されている場合に、Ｌ（ロー）レベルになる（ステップＳ１０１）。
【０２５５】
次に、カメラ制御部１７０は、起動検出レベルＤＥＴがＬレベルであるか否かの判定する判定処理を行う（ステップＳ１０２）。カメラ制御部１７０は、起動検出レベルＤＥＴがＬレベルでないとステップＳ１０２で判定した場合（ステップＳ１０２；Ｎｏ）に、アクセサリー４００がカメラ１０に装着されていない状態であると判定して、ステップＳ１０２の判定処理を再度行う。
【０２５６】
カメラ制御部１７０は、起動検出レベルＤＥＴがＬレベルであるとステップＳ１０２で判定した場合（ステップＳ１０２；Ｙｅｓ）に、カメラ制御部１７０は、機能拡張設定端子Ｔｐ１０から得る機能拡張設定信号Ｏｐを検出する。例えば、カメラ制御部１７０は、機能拡張設定端子Ｔｐ１０に供給されている機能拡張設定信号Ｏｐの信号レベルを検出する（ステップＳ１０４Ｂ）。
カメラ制御部１７０は、検出した機能拡張設定信号Ｏｐに基づいて、アクセサリーが給電を必要とするものであるか否かを判定する。例えば、カメラ制御部１７０は、機能拡張設定信号Ｏｐの信号レベルが予め定められた閾値レベル以上か否かを判定した結果により、アクセサリーが給電を必要とするものであるか否かを判定する（ステップＳ１０５）。
ステップＳ１０５における判定により、アクセサリーが給電を必要とするものではないと判定した場合（ステップＳ１０５：Ｎｏ）には、カメラ制御部１７０は、判定結果を記憶部１５８に記憶させるとともに、ステップＳ１１１Ｂに進む。
【０２５７】
一方、ステップＳ１０５における判定により、アクセサリーが給電を必要とするものであると判定した場合（ステップＳ１０５：Ｙｅｓ）、には、カメラ制御部１７０は、判定結果を記憶部１５８に記憶させるとともに、検出したアクセサリーが表示装置９００であるか否かを判定する（ステップＳ１０７Ｂ）。
ステップＳ１０７Ｂにおける判定により、検出したアクセサリーが表示装置９００であると判定した場合（ステップＳ１０７Ｂ：Ｙｅｓ）には、カメラ制御部１７０は、判定結果を記憶部１５８に記憶させるとともに、シュー座１５に設けられている端子部２５の各端子の機能を表示装置９００としての機能（仕様）に割り付け、ステップＳ１１０に進む（ステップＳ１０８Ｂ）。
【０２５８】
ステップＳ１０７Ｂにおける判定により、検出したアクセサリーが表示装置９００ではないと判定した場合（ステップＳ１０７Ｂ：Ｎｏ）には、カメラ制御部１７０は、判定結果を記憶部１５８に記憶させるとともに、シュー座１５に設けられている端子部２５の各端子の機を標準的な機能（仕様）として割り付ける。標準的な機能（仕様）としての割り付けとは、例えば、アクセサリー４００（照明装置）、ＧＰＳ装置、変換装置などに適用する割り付けであり、表示装置への適用する割り付けを除くものとする（ステップＳ１０９Ｂ）。
【０２５９】
ステップＳ１０８Ｂ、ステップＳ１０９Ｂにおいて設定された結果に応じて、カメラ制御部１７０は、カメラ１０からアクセサリーへの電力供給を開始する制御を行う。
例えば、カメラ制御部１７０は、アクセサリー電源制御部３３を制御して、カメラ１０からアクセサリーへの電力供給をアクセサリー電源制御部３３に開始させる（ステップＳ１１０）。
なお、アクセサリーがアクセサリー４００である場合には、アクセサリー４００において、アクセサリー制御部４４０は、カメラ１０から電源部（第１電源部４５０−１と第２電源部４５０−２）を介して供給された電力によって、起動する。
或は、アクセサリーが表示装置９００である場合には、表示装置９００において、表示駆動部９４０は、カメラ１０から電源部（電源部９５０）を介して供給された電力によって、起動する。なお、アクセサリーが表示装置９００である場合には、カメラ制御部１７０は、以下のステップＳ１１１Ｂ以降の処理を実施せずに、通信準備シーケンスを終了する。
【０２６０】
カメラ制御部１７０は、アクセサリーがアクセサリー４００である場合におけるステップＳ１１０の制御の終了後、又は、アクセサリーが変換装置７００であることにより、ステップＳ１０５における判定によってアクセサリーが給電を必要とするものではないと判定された場合（ステップＳ１０５：Ｎｏ）に、アクセサリーに通信の許可を通知する（ステップＳ１１１Ｂ）。カメラ１０の通信制御信号端子Ｔｐ９の電位すなわち通信制御信号Ｃｓの信号レベルは、アクセサリーがカメラ１０に装着されていないとカメラ制御部１７０に判定されている状態で、Ｌレベルになっている。
【０２６１】
アクセサリー制御部４４０（４４０Ｂ）、或は、表示駆動部９４０は、通信制御信号端子Ｔｓ９の電位すなわち通信制御信号Ｃｓの信号レベルがＨレベルであるか否かを判定する判定処理を行う（ステップＳ１１２）。アクセサリー制御部４４０（４４０Ｂ）、或は、表示駆動部９４０は、通信制御信号ＣｓがＨレベルでないとステップＳ１１２で判定した場合（ステップＳ１１２；Ｎｏ）に、ステップＳ１１２の判定処理を再度行う。アクセサリー制御部４４０（４４０Ｂ）、或は、表示駆動部９４０は、通信制御信号ＣｓがＨレベルであるとステップＳ１１２で判定した場合（ステップＳ１１２；Ｙｅｓ）に、カメラ制御部１７０との通信が許可されたと認識する。
【０２６２】
この通信準備シーケンスは、カメラ制御部１７０がステップＳ１１１で通信制御信号ＣｓをＨレベルに立ち上げて通信許可を通知し、アクセサリー４００におけるアクセサリー制御部４４０又はアクセサリー４００Ｂにおけるアクセサリー制御部４４０Ｂ又は表示装置９００における表示駆動部９４０がカメラ制御部１７０との通信が許可されたと認識した後に、終了する。
【０２６３】
このように、カメラシステム１は、アクセサリー（アクセサリー４００、４００Ｂなど）から出力される起動検出レベルＤＥＴとアクセサリーの種類を示す機能拡張設定信号Ｏｐに基づいて、カメラ１０にアクセサリーを組み合わせた場合の機能の範囲を判定する。カメラシステム１は、アクセサリーに応じた機能を標準機能から拡張することができる。また、カメラ１０は、その判定結果に応じてアクセサリーへの電力の供給を開始するので、アクセサリーに電力を供給する制御の信頼性が高くなる。
また、カメラシステム１は、カメラ制御部１７０がアクセサリーへの電力の供給を開始した後に通信許可の通知を行う。これにより、カメラシステム１は、アクセサリー（アクセサリー４００など）が起動している状態でアクセサリー制御部（アクセサリー制御部４４０など）が通信許可の通知を受けることになり、カメラ１０とアクセサリー（アクセサリー４００など）との間における通信の開始を安定して制御することができる。このように、カメラシステム１は、アクセサリー（アクセサリー４００など）を安定して制御することができ、安定して動作するものとなるので、利便性が高いシステムである。
【０２６４】
（１）なお、本実施形態によれば、カメラ１０において、端子部２５（接続部）には、アクセサリーに接続される複数の端子（符号Ｔｐ１からＴｐ１２までの各端子）が設けられており、複数の端子（符号Ｔｐ１からＴｐ１２までの各端子）には、符号Ｔｐ１０の端子（第１端子）が含まれている。カメラ制御部１７０は、符号Ｔｐ１０の端子（第１端子）の信号状態に応じて、アクセサリーの種類を識別する。
これにより、カメラ１０は、アクセサリーの種類を識別することができるようになり、アクセサリーの種類に応じた制御を行えることから、誤作動がなく利便性の高いカメラを提供できる。
【０２６５】
（２）また、本実施形態によれば、カメラ制御部１７０は、符号Ｔｐ１０の端子（第１端子）の信号状態に応じて、アクセサリーに給電するか否かを制御する。
これにより、カメラ１０は、アクセサリーの種類を識別することができるようになり、アクセサリーの種類に応じてアクセサリーに給電することができることから、誤作動がなく利便性の高いカメラを提供できる。
【０２６６】
（３）また、本実施形態によれば、端子部２５（接続部）の複数の端子（符号Ｔｐ１からＴｐ１２までの各端子）には、符号Ｔｐ１０の端子（第１端子）と、符号Ｔｐ４、Ｔｐ６，Ｔｐ８，Ｔｐ９のうちの少なくとも何れかの端子（第２端子）とが含まれている。カメラ制御部１７０は、符号Ｔｐ１０の端子（第１端子）の信号状態に応じて、符号Ｔｐ４、Ｔｐ６，Ｔｐ８，Ｔｐ９のうちの少なくとも何れかの端子（第２端子）に割り付ける信号を設定する。
これにより、カメラ１０は、アクセサリーの種類を識別することができるようになり、アクセサリーの種類に応じてアクセサリーに提供する信号の割り付けを変更することができるようになることから、誤作動がなく利便性の高いカメラを提供できる。
【０２６７】
（４）また、本実施形態によれば、端子部２５（接続部）の前記複数の端子には、符号Ｔｐ４、Ｔｐ６，Ｔｐ８，Ｔｐ９のうちの端子（第２端子）が複数ある。カメラ制御部１７０は、符号Ｔｐ４、Ｔｐ６，Ｔｐ８，Ｔｐ９のうちの複数の端子（第２端子）にそれぞれ割り付ける信号を、予め定められている複数の信号のうちから、符号Ｔｐ１０の端子（第１端子）の信号状態に応じてそれぞれ選択する。
これにより、カメラ１０は、アクセサリーの種類に応じた信号を生成することができる。また、カメラ１０は、アクセサリーの種類を識別して、アクセサリーの種類に応じてアクセサリーに提供する信号を選択できるようになることから、誤作動がなく利便性の高いカメラを提供できる。
【０２６８】
（５）また、本実施形態によれば、端子部２５（接続部）の複数の端子（符号Ｔｐ１からＴｐ１２までの各端子）には、アクセサリーが接続された状態を検出する信号が供給される符号Ｔｐ７の端子（第３端子）と符号Ｔｐ１０の端子（第１端子）とが含まれている。カメラ制御部１７０は、アクセサリーの種類に応じた処理を、符号Ｔｐ１０の端子（第１端子）の信号状態及び符号Ｔｐ７の端子（第３端子）の信号状態に基づいて選択する。
これにより、カメラ１０は、アクセサリーの種類を識別する信号と、装着状態を示す信号とを、それぞれ異なる端子から得ることができるようになり、アクセサリーの種類に応じた制御を行えることから、誤作動がなく利便性の高いカメラを提供できる。
【０２６９】
（６）また、本実施形態によれば、カメラ制御部１７０は、前記接続部に接続されたアクセサリーの種別を、前記アクセサリーに給電するか否かを判定する前に、符号Ｔｐ１０の端子（第１端子）の電圧に応じて識別する。
これにより、カメラ１０は、符号Ｔｐ１０の端子（第１端子）の電圧からアクセサリーの種類を識別した後に、前記アクセサリーに給電するか否かを判定することができるようになり、アクセサリーの種類に応じた制御を行えることから、誤作動がなく利便性の高いカメラを提供できる。
【０２７０】
（７）また、本実施形態によれば、カメラ１０に接続されるアクセサリー（アクセサリー４００、変換装置７００、表示装置９００のうちの何れかの装置）において、端子部７２３（第１接続部）には、カメラ１０の符号Ｔｐ１０の端子（第１接続端子）に接続する符号Ｔｓ１０の端子（第１接続端子）が設けられている。機能拡張設定部４８５（第１設定部）は、アクセサリーの種別を示す信号に応じた電圧を符号Ｔｓ１０の端子（第１接続端子）の電圧とする。
カメラ１０に接続されるアクセサリー（アクセサリー４００、変換装置７００、表示装置９００のうちの何れかの装置）には、端子部７２３（第１接続部）に設けられた端子であって、カメラ１０における符号Ｔｐ１０の端子（第１接続端子）に接続する符号Ｔｓ１０の端子（第１接続端子）が設けられている。機能拡張設定部４８５（第１設定部）は、アクセサリーの種別を示す電圧を符号Ｔｓ１０の端子（第１接続端子）の電圧とすることにより、アクセサリー（アクセサリー４００、変換装置７００、表示装置９００のうちの何れかの装置）が、カメラ１０にアクセサリーの種類を示す情報を端子の電圧として提供することができるようになる。これにより、誤作動がなく利便性の高いアクセサリーを提供できる。
【０２７１】
（８）また、本実施形態によれば、変換装置７００は、他のアクセサリー（例えば、アクセサリー４００Ｂ）に接続される端子が設けられた端子部７２５（第２接続部）を備える。
これにより、変換装置７００は、他のアクセサリーを接続する端子部７２５に、他のアクセサリーを接続できることから、カメラ１０に他のアクセサリーを接続することができるようになる。これにより、誤作動がなく利便性の高いアクセサリー（変換装置７００）を提供できる。
【０２７２】
（９）また、本実施形態によれば、変換装置７００において、第１スイッチ部４６５Ｂの検出部４６５ａ（接続状態検出部）は、他のアクセサリー（例えば、アクセサリー４００Ｂ）が端子部７２５（第２接続部）に接続された状態を検出する。第１スイッチ部４６５Ｂのスイッチ４６５ｂ（第２設定部）は、検出部４６５ａ（接続状態検出部）によって検出された結果に応じて、端子部７２３（第１接続部）に設けられた符号Ｔｓ７の端子（第３接続端子）に供給する信号（電圧）を設定する。
これにより、変換装置７００は、他のアクセサリー（例えば、アクセサリー４００Ｂ）が端子部７２５（第２接続部）に接続された状態を検出した後、符号Ｔｓ７の端子（第３接続端子）の電圧を装着検出状態を示す電圧に設定することができる。
【０２７３】
（１０）また、本実施形態によれば、アクセサリーは、カメラ１０に他のアクセサリーを接続するアダプター（変換装置７００）である。
これにより、カメラ１０に他のアクセサリーを接続することができるようになる。
【０２７４】
なお、本実施形態において、各端子の配置を示す番号は、端子の配列方向（Ｘ軸方向）の一方側（＋Ｘ側）から他方側（−Ｘ側）に向って昇順する番号であるが、他方側（−Ｘ側）から一方側（＋Ｘ側）に向って昇順する番号であってもよい。この場合に、端子部２５の端子配列において、１番目と２番目の端子は、それぞれ、電源端子Ｔｐ１２、電源端子Ｔｐ１１となり、１１番目と１２番目の端子は、それぞれ、接地端子Ｔｐ２、接地端子Ｔｐ１となる。また、上記したようなカメラボディ１００の端子部２５における複数の端子の配列に関する変形は、アクセサリー４００の端子部４２３における複数の端子の配列に適用することができる。
【０２７５】
なお、電源端子Ｔｐ１１と電源端子Ｔｐ１２のうちの一方の端子は、省略されていてもよい。電源端子Ｔｐ１１と電源端子Ｔｐ１２は、一体化されていてもよい。電源端子Ｔｐ１１と電源端子Ｔｐ１２と同様に、接地端子Ｔｐ１と接地端子Ｔｐ２のうちの一方の端子は、省略されていてもよい。接地端子Ｔｐ１と接地端子Ｔｐ２は、一体化されていてもよい。また、電源端子Ｔｐ１１と電源端子Ｔｐ１２の少なくとも一方を含む電源端子と、接地端子Ｔｐ１と接地端子Ｔｐ２の少なくとも一方を含む接地端子との間に配置される端子は、符号Ｔｐ３から符号Ｔｐ１０で示される端子のうちの１つでもよいし、２以上でもよく、全部でもよい。
【０２７６】
このように、カメラシステム１は、例えばユーザーがアクセサリー４００をカメラ１０から取り外そうとした場合に、アクセサリー４００の処理を終了するために必要な処理（上記終了処理）を行うので、アクセサリー４００の設定や履歴が保存できて、利便性が高いシステムである。
【０２７７】
なお、本発明の技術範囲は上記の実施形態に限定されるものではない。上記の実施形態で説明した構成要素のうち少なくとも１つの構成要素は、省略される場合がある。上記の実施形態で説明した各構成要素は、適宜、組み合わせることができる。
例えば、アクセサリー４００がカメラ１０に装着された状態において、起動状態提供端子Ｔｓ７は、基準電位線４８０を介して接地線４２に接続されるように、ＭＳＷ４６５、ＰＣＳＷ４７０を介して基準電位線４８０に接続されていてもよい。
【０２７８】
なお、上述のカメラボディ１００とアクセサリー４００、４００Ｂ、表示装置９００は、内部にコンピュータシステムを有している。そして、各機能部の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリーやＯＳ、周辺機器等のハードウェアを含むものである。
【０２７９】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリーのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【符号の説明】
【０２８０】
１・・・カメラシステム、１０・・・カメラ、１５・・・シュー座（アクセサリーシュー）、２５・・・端子部、４００、４００Ｂ・・・アクセサリー、４２２・・・係止爪（可動部材）、４２３・・・端子部、４２４・・・第１操作部、４３０・・・閃光発光部（発光部）、４３５・・・照明光発光部（発光部）、４４０・・・アクセサリー制御部、４６５・・・第１スイッチ部、４７０・・・第２スイッチ部、４７５・・・レベル切替部、４８５・・・機能拡張設定部、７００・・・変換装置、９００・・・表示装置、９４０・・・表示駆動部、Ｔｐ１・・・接地端子、Ｔｐ２・・・接地端子、Ｔｐ３・・・基準電位端子、Ｔｐ４・・・クロック信号（同期信号）端子、Ｔｐ５・・・基準電位端子、Ｔｐ６・・・通信信号（データ信号）端子、Ｔｐ７・・・起動状態検出端子、Ｔｐ８・・・発光制御信号端子、Ｔｐ９・・・通信制御信号端子、Ｔｐ１０・・・機能拡張設定端子、Ｔｐ１１・・・電源端子、Ｔｐ１２・・・電源端子、Ｔｓ１・・・接地端子、Ｔｓ２・・・接地端子、Ｔｓ３・・・基準電位端子、Ｔｓ４・・・クロック信号（同期信号）端子、Ｔｓ５・・・基準電位端子、Ｔｓ６・・・通信信号（データ信号）端子、Ｔｓ７・・・起動状態提供端子、Ｔｓ８・・・発光制御信号端子、Ｔｓ９・・・通信制御信号端子、Ｔｓ１０・・・機能拡張設定端子、Ｔｓ１１・・・電源端子、Ｔｓ１２・・・電源端子、
ＣＬＫ・・・同期信号、ＤＥＴ・・・起動検出レベル、ＤＡＴＡ・・・通信信号（データ信号）、ＰＷＲ・・・電力、ＰＧＮＤ・・・基準電位、ＳＧＮＤ・・・基準電位、Ｘ・・・発光制御信号
【図１】
2014002183.tif 000003
【図２】
2014002183.tif 000004
【図３】
2014002183.tif 000005
【図４】
2014002183.tif 000006
【図５】
2014002183.tif 000007
【図６】
2014002183.tif 000008
【図７】
2014002183.tif 000009
【図８】
2014002183.tif 000010
【図９】
2014002183.tif 000011
【図１０】
2014002183.tif 000012
【図１１】
2014002183.tif 000013
【図１２】
2014002183.tif 000014
【図１３】
2014002183.tif 000015
【図１４】
2014002183.tif 000016
【図１５】
2014002183.tif 000017
【図１６】
2014002183.tif 000018